(57)【要約】本発明は、無線通信システムにおいて端末が参照信号を受信する方法に関する。特に、この方法は、サービングセル（Serving Cell）から参照信号設定に関連する第１情報を受信し、第１情報に基づいて、隣接セル（Neighbour Cell）から参照信号を受信し、参照信号のシーケンスに基づいて、参照信号のタイミングに関する第２情報を得るが、参照信号は、ＳＳ／ＰＢＣＨブロックとは異なる種類である、ことを特徴とする。【選択図】図３６
2021503795.tif 000002
【特許請求の範囲】
【請求項１】
無線通信システムにおいて、端末が参照信号を受信する方法であって、
サービングセル（Serving Cell）から参照信号設定に関連する第１情報を受信し、
前記第１情報に基づいて、隣接セル（Neighbour Cell）から前記参照信号を受信し、
前記参照信号のシーケンスに基づいて、前記参照信号のタイミングに関する第２情報を得る、ことを特徴とし、
前記参照信号は、ＳＳ／ＰＢＣＨブロックとは異なる種類である、参照信号受信方法。
【請求項２】
前記第２情報は、
前記参照信号が送信されたハーフフレームに関する情報である、請求項１に記載の参照信号受信方法。
【請求項３】
前記第２情報は、
前記参照信号が送信されたスロットおよび直交周波数分割多重（Orthogonal Frequency Division Multiplexing；ＯＦＤＭ）シンボルのうちのいずれか一つに関する情報である、請求項１に記載の参照信号受信方法。
【請求項４】
前記第２情報は、
前記隣接セルから受信されるＳＳ／ＰＢＣＨブロックのインデックスに関連する情報である、請求項１に記載の参照信号受信方法。
【請求項５】
前記第２情報は、
前記隣接セルから受信されるＳＳ／ＰＢＣＨブロックのインデックスのための最上位３ビットを有する、請求項４に記載の参照信号受信方法。
【請求項６】
前記参照信号は、
前記隣接セルで受信されるＳＳ／ＰＢＣＨがマッピングされたリソースから一定範囲内に位置するリソースにマッピングされる、請求項１に記載の参照信号受信方法。
【請求項７】
前記参照信号は、チャネル状態情報参照信号（Channel States Information-Reference Signal；ＣＳＩ−ＲＳ）である、請求項１に記載の参照信号受信方法。
【請求項８】
前記参照信号は、復調用参照信号（DeModulation Reference Signal；ＤＭＲＳ）であり、
前記ＤＭＲＳは、前記ＳＳ／ＰＢＣＨブロックがマッピングされない領域にマッピングされる、請求項１に記載の参照信号受信方法。
【請求項９】
前記第２情報に基づいて、前記サービングセルから前記隣接セルへのハンドオーバが行われる、請求項１に記載の参照信号受信方法。
【請求項１０】
前記第２情報に基づいて、前記隣接セルのための測定（Measurement）が行われる、請求項１に記載の参照信号受信方法。
【請求項１１】
無線通信システムにおいて、参照信号を受信するための通信装置であって、
メモリと、
前記メモリに接続されたプロセッサと、を有し、
前記プロセッサは、
サービングセル（Serving Cell）から参照信号設定に関連する第１情報を受信し、
前記第１情報に基づいて、隣接セル（Neighbour Cell）から前記参照信号を受信し、
前記参照信号のシーケンスに基づいて、前記参照信号のタイミングに関する第２情報を得る、ように制御することを特徴とし、
前記参照信号は、ＳＳ／ＰＢＣＨブロックとは異なる種類である、通信装置。
【請求項１２】
無線通信システムにおいて、隣接セル（Neighbor Cell）が参照信号を送信する方法であって、
前記参照信号のタイミングに関する第１情報に基づいて、前記参照信号のシーケンスを生成し、
サービングセルが端末に送信した参照信号設定に関連する第１情報に基づいて、前記参照信号のシーケンスをリソース要素（Resource Elements；ＲＥｓ）にマッピングし、
前記参照信号を前記端末に送信する、ことを特徴とし、
前記参照信号は、ＳＳ／ＰＢＣＨブロックとは異なる種類である、参照信号送信方法。
【発明の詳細な説明】
【技術分野】
【０００１】
本発明は、参照信号を送受信する方法およびその装置に関し、より詳しくは、サービングセルおよび隣接セルの各々から同期信号ブロックおよび参照信号を受信した場合、参照信号のシーケンスに基づいて隣接セルの時間情報を得る方法および装置に関する。
【背景技術】
【０００２】
時代の流れによってより多くの通信装置がより大きな通信トラフィックを要求することになり、既存のＬＴＥシステムに比べて向上した無線広帯域通信である次世代５Ｇシステムが要求されている。ＮｅｗＲＡＴと呼ばれるこの次世代５Ｇシステムは、ｅｎｈａｎｃｅｄ  Ｍｏｂｉｌｅ  ＢｒｏａｄＢａｎｄ（ｅＭＢＢ）／Ｕｌｔｒａ−Ｒｅｌｉａｂｉｌｉｔｙ  ａｎｄ  Ｌｏｗ−Ｌａｔｅｎｃｙ  Ｃｏｍｍｕｎｉｃａｔｉｏｎ（ＵＲＬＬＣ）／ｍａｓｓｉｖｅ  Ｍａｃｈｉｎｅ−Ｔｙｐｅ  Ｃｏｍｍｕｎｉｃａｔｉｏｎｓ（ｍＭＴＣ）などに通信シナリオが区分される。
【０００３】
ここで、ｅＭＢＢは、Ｈｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ＵＲＬＬＣは、Ｕｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（例えば、Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣは、Ｌｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙの特性を有する次世代移動通信シナリオである（例えば、ＩｏＴ）。
【発明の概要】
【発明が解決しようとする課題】
【０００４】
本発明は、参照信号を送受信する方法およびそのための装置を提供する。
【０００５】
本発明の技術的課題は、上述した技術的課題に制限されず、その他の技術的課題は、本発明の実施例から本発明が属する技術分野で通常の知識を有する者に明らかに理解可能であろう。
【課題を解決するための手段】
【０００６】
本発明の実施例による無線通信システムにおいて、端末が参照信号を受信する方法であって、サービングセル（Serving Cell）から参照信号設定に関連する第１情報を受信し、第１情報に基づいて、隣接セル（Neighbour Cell）から参照信号を受信し、参照信号のシーケンスに基づいて、参照信号のタイミングに関する第２情報を得る、ことを特徴とし、参照信号は、ＳＳ／ＰＢＣＨブロックとは異なる種類である。
【０００７】
このとき、第２情報は、参照信号が送信されたハーフフレームに関する情報である。
【０００８】
第２情報は、参照信号が送信されたスロットおよび直交周波数分割多重（Orthogonal Frequency Division Multiplexing；ＯＦＤＭ）シンボルのうちのいずれか一つに関する情報である。
【０００９】
第２情報は、隣接セルから受信されるＳＳ／ＰＢＣＨブロックのインデックスに関連する情報である。
【００１０】
第２情報は、隣接セルから受信されるＳＳ／ＰＢＣＨブロックのインデックスのための最上位３ビットを有する。
【００１１】
参照信号は、隣接セルで受信されるＳＳ／ＰＢＣＨがマッピングされたリソースから一定範囲内に位置するリソースにマッピングされる。
【００１２】
参照信号は、チャネル状態情報参照信号（Channel States Information-Reference Signal；ＣＳＩ−ＲＳ）である。
【００１３】
参照信号は、復調用参照信号（DeModulation Reference Signal；ＤＭＲＳ）であり、ＤＭＲＳは、ＳＳ／ＰＢＣＨブロックがマッピングされない領域にマッピングされる。
【００１４】
第２情報に基づいて、サービングセルから隣接セルへのハンドオーバが行われる。
【００１５】
第２情報に基づいて、隣接セルのための測定（Measurement）が行われる。
【００１６】
本発明による無線通信システムにおいて、参照信号を受信するための通信装置であって、メモリと、該メモリに接続（連結）されたプロセッサと、を有し、該プロセッサは、サービングセル（Serving Cell）から参照信号設定に関連する第１情報を受信し、第１情報に基づいて、隣接セル（Neighbour Cell）から参照信号を受信し、参照信号のシーケンスに基づいて、参照信号のタイミングに関する第２情報を得る、ように制御することを特徴とし、参照信号は、ＳＳ／ＰＢＣＨブロックとは異なる種類である。
【００１７】
本発明の実施例による無線通信システムにおいて、隣接セル（Neighbor Cell）が参照信号を送信する方法であって、参照信号のタイミングに関する第１情報に基づいて、参照信号のシーケンスを生成し、サービングセルが端末に送信した参照信号設定に関連する第１情報に基づいて、参照信号のシーケンスをリソース要素（Resource Elements；ＲＥｓ）にマッピングし、参照信号を端末に送信する、ことを特徴とし、参照信号は、ＳＳ／ＰＢＣＨブロックとは異なる種類である。
【発明の効果】
【００１８】
本発明によれば、隣接セルから受信した同期信号ブロックを復号しなくても、隣接セルから受信した同期信号ブロックのインデックスを得ることができるので、復号の複雑性が減少する。
【００１９】
本発明で得られる効果は、以上に言及した効果に制限されず、言及しなかった他の効果は、下記の記載から本発明が属する当該技術分野における当業者に明確に理解されるであろう。
【図面の簡単な説明】
【００２０】
【図１】３ＧＰＰ無線アクセスネットワーク（接続網）の規格に基づく端末とＥ−ＵＴＲＡＮとの間の無線インターフェースプロトコル（Radio Interface Protocol）の制御プレーン（平面）（Control Plane）およびユーザプレーン（使用者平面）（User Plane）構造を示す図である。
【図２】３ＧＰＰシステムに用いられる物理チャネルおよびこれらを用いた一般的な信号送信方法を説明する図である。
【図３】ＬＴＥシステムで使用される同期信号（Synchronization Signal、ＳＳ）の送信のための無線フレーム構造を例示する図である。
【図４】ＮＲシステムで使用されるＳＳ／ＰＢＣＨブロックの構造を説明する図である。
【図５】ＮＲシステムで使用される無線フレームおよびスロットの構造を説明する図である。
【図６】ＮＲシステムで使用される無線フレームおよびスロットの構造を説明する図である。
【図７】ＮＲシステムで使用される無線フレームおよびスロットの構造を説明する図である。
【図８】送受信器ユニット（Transceiver Unit、ＴＸＲＵ）および物理アンテナの観点でハイブリッドビームフォーミング（形成）構造を抽象的に示した図である。
【図９】下りリンクの伝送（送信）過程において同期信号およびシステム情報に関するビームスイーピング（Beam Sweeping）動作を示す図である。
【図１０】新しい無線アクセス（接続）技術（new radio Access technology、ＮＲ）システムのセルを例示する図である。
【図１１】同期信号バーストおよび同期信号バーストセット（集合）の構成方法を説明する図である。
【図１２】同期信号バーストおよび同期信号バーストセットの構成方法を説明する図である。
【図１３】同期信号バーストおよび同期信号バーストセットの構成方法を説明する図である。
【図１４】同期信号バーストおよび同期信号バーストセットの構成方法を説明する図である。
【図１５】同期信号をインデックスする方法を説明する図である。
【図１６】同期信号インデックスおよびＳＦＮ、Ｈａｌｆ  ｆｒａｍｅを指示する方法を説明する図である。
【図１７】本発明の実施例による性能を測定した結果を示す図である。
【図１８】本発明の実施例による性能を測定した結果を示す図である。
【図１９】本発明の実施例による性能を測定した結果を示す図である。
【図２０】本発明の実施例による性能を測定した結果を示す図である。
【図２１】本発明の実施例による性能を測定した結果を示す図である。
【図２２】本発明の実施例による性能を測定した結果を示す図である。
【図２３】本発明の実施例による性能を測定した結果を示す図である。
【図２４】本発明の実施例による性能を測定した結果を示す図である。
【図２５】本発明の実施例による性能を測定した結果を示す図である。
【図２６】本発明の実施例による性能を測定した結果を示す図である。
【図２７】本発明の実施例による性能を測定した結果を示す図である。
【図２８】本発明の実施例による性能を測定した結果を示す図である。
【図２９】本発明の実施例による性能を測定した結果を示す図である。
【図３０】同期信号内にＰＳＳ／ＳＳＳ／ＰＢＣＨが多重化される実施例を説明する図である。
【図３１】同期信号内にＰＳＳ／ＳＳＳ／ＰＢＣＨが多重化される実施例を説明する図である。
【図３２】本発明の実施例によるＰＢＣＨ復号性能をシミュレーションした結果を示すグラフである。
【図３３】本発明の実施例によるＰＢＣＨ復号性能をシミュレーションした結果を示すグラフである。
【図３４】本発明の実施例による参照信号によりタイミング情報を得る方法を説明する図である。
【図３５】本発明の実施例による参照信号によりタイミング情報を得る方法を説明する図である。
【図３６】本発明の実施例による参照信号によりタイミング情報を得る方法を説明する図である。
【図３７】ＲＭＳＩのためのＣＯＲＥＳＥＴの設定方法およびそれに対応するＰＤＣＣＨのためのモニタリングウィンドウを設定する方法を説明する図である。
【図３８】ＲＭＳＩのためのＣＯＲＥＳＥＴの設定方法およびそれに対応するＰＤＣＣＨのためのモニタリングウィンドウを設定する方法を説明する図である。
【図３９】ＲＭＳＩのためのＣＯＲＥＳＥＴの設定方法およびそれに対応するＰＤＣＣＨのためのモニタリングウィンドウを設定する方法を説明する図である。
【図４０】ＲＭＳＩのためのＣＯＲＥＳＥＴの設定方法およびそれに対応するＰＤＣＣＨのためのモニタリングウィンドウを設定する方法を説明する図である。
【図４１】本発明を行う無線装置の構成要素を示すブロック図である。
【発明を実施するための形態】
【００２１】
以下、添付図面を参照しながら説明する本発明の実施例によって、本発明の構成、作用および他の特徴をより容易に理解できるであろう。以下の実施例は、本発明の技術的特徴が３ＧＰＰシステムに適用された例である。
【００２２】
この明細書では、ＬＴＥシステム、ＬＴＥ−ＡシステムおよびＮＲシステムを用いて本発明の実施例を説明しているが、これは一例であり、本発明の実施例は、上記定義に該当するいかなる通信システムにも適用することができる。
【００２３】
また、この明細書では、基地局の名称が、ＲＲＨ（Remote Radio Head）、ｅＮＢ、ＴＰ（Transmission Point）、ＲＰ（Reception Point）、中継器（relay）などの包括的な用語として使用されている。
【００２４】
３ＧＰＰベース（基盤）の通信標準は、上位層から生じる情報を運ぶリソース要素に対応する下りリンク物理チャネルと、物理層によって用いられるが、上位層から生じる情報を搬送しないリソース要素に対応する下りリンク物理信号と、を定義する。例えば、物理下りリンク共有チャネル（Physical Downlink Shared CHannel、ＰＤＳＣＨ）、物理ブロードキャストチャネル（Physical Broadcast CHannel、ＰＢＣＨ）、物理マルチキャストチャネル（Physical Multicast CHannel、ＰＭＣＨ）、物理制御フォーマット指示子チャネル（Physical Control Format Indicator CHannel、ＰＣＦＩＣＨ）、物理下りリンク制御チャネル（Physical Downlink Control CHannel、ＰＤＣＣＨ）および物理ハイブリッドＡＲＱ指示子チャネル（physical hybrid ARQ indicator channel、ＰＨＩＣＨ）が下りリンク物理チャネルとして定義されており、参照信号および同期信号が下りリンク物理信号として定義されている。パイロット（pilot）とも呼ばれる参照信号（Reference Signal、ＲＳ）は、ｇＮＢとＵＥとが互いに知っている既に定義された特別な波形の信号を意味するが、例えば、セル固有（特定的）ＲＳ（cell specific RS）、ＵＥ固有ＲＳ（UE-specific RS、ＵＥ−ＲＳ）、ポジショニングＲＳ（Positioning RS、ＰＲＳ）およびチャネル状態情報ＲＳ（Channel State Information RS、ＣＳＩ−ＲＳ）が、下りリンク参照信号として定義される。３ＧＰＰ  ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号と、を定義している。例えば、物理上りリンク共有チャネル（Physical Uplink Shared CHannel、ＰＵＳＣＨ）、物理上りリンク制御チャネル（Physical Uplink Control CHannel、ＰＵＣＣＨ）、物理ランダムアクセス（任意接続）チャネル（Physical Random Access CHannel、ＰＲＡＣＨ）が、上りリンク物理チャネルとして定義され、上りリンク制御／データ信号のための復調参照信号（DeModulation Reference Signal、ＤＭＲＳ）と上りリンクチャネル測定に用いられるサウンディング参照信号（Sounding Reference Signal、ＳＲＳ）とが定義される。
【００２５】
本発明において、ＰＤＣＣＨ（Physical Downlink Control CHannel）／ＰＣＦＩＣＨ（Physical Control Format Indicator CHannel）／ＰＨＩＣＨ（（Physical Hybrid automatic retransmit request Indicator CHannel）／ＰＤＳＣＨ（Physical Downlink Shared CHannel）は、それぞれ、ＤＣＩ（Downlink Control Information）／ＣＦＩ（Control Format Indicator）／下りリンクＡＣＫ／ＮＡＣＫ（ACKnowlegement／Negative ACK）／下りリンクデータを搬送する時間−周波数リソースのセット（集合）またはリソース要素のセットを意味する。また、ＰＵＣＣＨ（Physical Uplink Control CHannel）／ＰＵＳＣＨ（Physical Uplink Shared CHannel）／ＰＲＡＣＨ（Physical Random Access CHannel）は、それぞれ、ＵＣＩ（Uplink Control Information）／上りリンクデータ／ランダムアクセス信号を搬送する時間−周波数リソースのセットまたはリソース要素のセットを意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属する時間−周波数リソースまたはリソース要素（Resource Element、ＲＥ）を、それぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥまたはＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／またはを通じて、上りリンク制御情報／上りリンクデータ／ランダムアクセス（任意接続）信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／またはを通じて、下りリンクデータ／制御情報を送信することと同じ意味で使われる。
【００２６】
以下では、ＣＲＳ／ＤＭＲＳ／ＣＳＩ−ＲＳ／ＳＲＳ／ＵＥ−ＲＳが割り当てられたまたは設定された（configured）ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ（tracking RS、ＴＲＳ）が割り当てられたまたは設定されたＯＦＤＭシンボルは、ＴＲＳシンボルと称し、ＴＲＳが割り当てられたまたは設定された副搬送波は、ＴＲＳ副搬送波と称し、ＴＲＳが割り当てられたまたは設定されたＲＥは、ＴＲＳ  ＲＥと称する。また、ＴＲＳ送信のために設定されたサブフレームを、ＴＲＳサブフレームと称する。また、ブロードキャスト信号が送信されるサブフレームを、ブロードキャストサブフレームまたはＰＢＣＨサブフレームと称し、同期信号（例えば、ＰＳＳおよび／またはＳＳＳ）が送信されるサブフレームを、同期信号サブフレームまたはＰＳＳ／ＳＳＳサブフレームと称する。ＰＳＳ／ＳＳＳが割り当てられたまたは設定されたＯＦＤＭシンボル／副搬送波／ＲＥを、それぞれ、ＰＳＳ／ＳＳＳシンボル／副搬送波／ＲＥと称する。
【００２７】
本発明において、ＣＲＳポート、ＵＥ−ＲＳポート、ＣＳＩ−ＲＳポート、ＴＲＳポートとは、それぞれ、ＣＲＳを送信するように設定されたアンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互に区別でき、ＵＥ−ＲＳを送信するように設定されたアンテナポートは、ＵＥ−ＲＳポートによってＵＥ−ＲＳが占有するＲＥの位置によって相互に区別でき、ＣＳＩ−ＲＳを送信するように設定されたアンテナポートは、ＣＳＩ−ＲＳポートによってＣＳＩ−ＲＳが占有するＲＥの位置によって相互に区別できる。したがって、ＣＲＳ／ＵＥ−ＲＳ／ＣＳＩ−ＲＳ／ＴＲＳポートという用語が、一定のリソース領域内でＣＲＳ／ＵＥ−ＲＳ／ＣＳＩ−ＲＳ／ＴＲＳが占有するＲＥのパターンを意味する用語として用いられることもある。
【００２８】
図１は、３ＧＰＰ無線アクセスネットワークの規格に基づく端末とＥ−ＵＴＲＡＮとの間の無線インターフェースプロトコルの制御プレーン（control plane）およびユーザプレーン（user plane）の構造を示す図である。制御プレーンは、端末（User Equipment；ＵＥ）およびネットワークが信号を管理するために用いる制御メッセージが送信される通信路を意味する。ユーザプレーンは、アプリケーション層で生成されたデータ、例えば、音声データまたはインターネットパケットデータなどが送信される通信路を意味する。
【００２９】
第１の層である物理層は、物理チャネル（Physical Channel）を用いて上位層に情報送信サービス（Information Transfer Service）を提供する。物理層は、上位にあるメディアアクセス（媒体接続）制御（Medium Access Control）層とはトランスポート（送信）チャネル（Transport Channel）を介して接続される。このトランスポートチャネルを介してメディアアクセス制御層と物理層との間でデータが移動する。送信側と受信側との物理層の間では、物理チャネルを介してデータが移動する。物理チャネルは、時間および周波数を無線リソースとして活用する。具体的には、物理チャネルは、下りリンクにおいて、ＯＦＤＭＡ（Orthogonal Frequency Division Multiple Access）方式で変調され、上りリンクにおいては、ＳＣ−ＦＤＭＡ（Single Carrier Frequency Division Multiple Access）方式で変調される。
【００３０】
第２の層であるメディアアクセス制御（Medium Access Control；ＭＡＣ）層は、論理チャネル（Logical Channel）を介して上位層である無線リンク制御（Radio Link Control；ＲＬＣ）層にサービスを提供する。第２の層のＲＬＣ層は、信頼性のあるデータ送信をサポート（支援）する。ＲＬＣ層の機能は、ＭＡＣ内部の機能ブロックにより具現できる。第２の層のＰＤＣＰ層は、帯域幅が狭い無線インターフェースにおいてＩＰｖ４またはＩＰｖ６などのＩＰパケットを効率的に送信するために不要な制御情報を減らすヘッダ圧縮（Header Compression）の機能を果たす。
【００３１】
第３の層である最下部に位置する無線リソース制御（Radio Resource Control；ＲＲＣ）層は、制御プレーンでのみ定義される。ＲＲＣ層は、無線ベアラ（Radio Bearer）の設定（configuration）、再設定（re-configuration）および解放（解除）（release）に関連して、論理チャネル、トランスポートチャネルおよび物理チャネルの制御を担当する。無線ベアラは、端末とネットワークとの間のデータ伝達のために第２の層により提供されるサービスを意味する。このために、端末とネットワークとのＲＲＣ層は、互いにＲＲＣメッセージを交換する。端末とネットワークとのＲＲＣ層の間にＲＲＣ接続（連結）（RRC Connected）がある場合、端末は、ＲＲＣ接続状態（Connected Mode）であり、そうでない場合は、ＲＲＣアイドル（休止）状態（Idle Mode）である。ＲＲＣ層の上位にあるＮＡＳ（Non-Access Stratum）層は、セッション管理（Session Management）およびモビリティ（移動性）管理（Mobility Management）などの機能を果たす。
【００３２】
ネットワークから端末にデータを送信する下りトランスポートチャネルとしては、システム情報を送信するＢＣＨ（Broadcast CHannel）、ページングメッセージを送信するＰＣＨ（Paging CHannel）、ユーザ（使用者）トラフィックや制御メッセージを送信する下りＳＣＨ（Shared CHannel）などがある。下りマルチキャストもしくはブロードキャスト（放送）サービスのトラフィックもしくは制御メッセージの場合、下りＳＣＨを介して送信され、または特に下りＭＣＨ（Multicast CHannel）を介して送信されることができる。なお、端末からネットワークにデータを送信する上りトランスポートチャネルとしては、初期制御メッセージを送信するＲＡＣＨ（Random Access CHannel）、ユーザトラフィックや制御メッセージを送信する上りＳＣＨ（Shared CHannel）がある。トランスポートチャネルの上位にありかつトランスポートチャネルにマッピングされる論理チャネル（Logical Channel）としては、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、ＭＴＣＨ（Multicast Traffic CHannel）などがある。
【００３３】
図２は、３ＧＰＰシステムに用いられる物理チャネルおよびこれらを用いた一般的な信号送信方法を説明する図である。
【００３４】
端末は、電源がオンになったり新たにセルに進入した場合、基地局と同期を合わせるなどの初期セルサーチ（探索）（Initial cell search）作業を行う（Ｓ２０１）。このために、端末は、基地局からプライマリ（主）同期チャネル（Primary Synchronization CHannel；Ｐ−ＳＣＨ）およびセカンダリ（副）同期チャネル（Secondary Synchronization CHannel；Ｓ−ＳＣＨ）を受信することによって、基地局と同期を合わせ、セルＩＤなどの情報を得ることができる。その後、端末は、基地局から物理ブロードキャスト（放送）チャネル（Physical Broadcast Channel）を受信してセル内のブロードキャスト情報を得ることができる。なお、端末は、初期セルサーチ段階において下りリンク参照信号（DownLink Reference Signal；ＤＬ  ＲＳ）を受信して下りリンクチャネル状態を確認することができる。
【００３５】
初期セルサーチを終了した端末は、物理下りリンク制御チャネル（Physical Downlink Control CHannel；ＰＤＣＣＨ）および該ＰＤＣＣＨに載せられた情報によって物理下りリンク共有チャネル（Physical Downlink Control CHannel；ＰＤＳＣＨ）を受信することによって、より具体的なシステム情報を得ることができる（Ｓ２０２）。
【００３６】
一方、基地局に最初にアクセス（接続）したかまたは信号伝送のための無線リソースがない場合は、端末は、基地局に対してランダムアクセス過程（手順）（Random Access Procedure；ＲＡＣＨ）を行うことができる（段階Ｓ２０３〜段階Ｓ２０６）。このために、端末は、物理ランダムアクセスチャネル（Physical Random Access CHannel；ＰＲＡＣＨ）を介して特定シーケンスをプリアンブルとして伝送し（Ｓ２０３およびＳ２０５）、ＰＤＣＣＨおよび対応するＰＤＳＣＨを介してプリアンブルに対する応答メッセージを受信することができる（Ｓ２０４およびＳ２０６）。コンテンション（競争）ベースのＲＡＣＨの場合、さらに衝突（競合）解決手順（Contention Resolution Procedure）を行うことができる。
【００３７】
上述した手順を行った端末は、その後、一般的な上り／下りリンク信号伝送の手順として、ＰＤＣＣＨ／ＰＤＳＣＨ受信（Ｓ２０７）および物理上りリンク共有チャネル（Physical Uplink Shared CHannel；ＰＵＳＣＨ）／物理上りリンク制御チャネル（Physical Uplink Control CHannel；ＰＵＣＣＨ）の送信を行う（Ｓ２０８）。特に、端末は、ＰＤＣＣＨを介して下りリンク制御情報（Downlink Control Information；ＤＣＩ）を受信する。ここで、ＤＣＩは、端末に対するリソース割り当て情報などの制御情報を含み、その使用目的に応じてフォーマットが互いに異なる。
【００３８】
一方、端末が上りリンクを通じて基地局に伝送したり、端末が基地局から受信したりする制御情報は、下り／上りリンクＡＣＫ／ＮＡＣＫ信号、ＣＱＩ（Channel Quality Indicator）、ＰＭＩ（Precoding Matrix Index）、ＲＩ（Rank Indicator）などを含む。３ＧＰＰ  ＬＴＥシステムの場合、端末は、上述したＣＱＩ／ＰＭＩ／ＲＩなどの制御情報をＰＵＳＣＨおよび／またはＰＵＣＣＨを介して伝送することができる。
【００３９】
＜ＬＴＥにおけるＲＲＭ（Radio Resource Management）測定＞
【００４０】
ＬＴＥシステムでは、電力制御（Power control）、スケジューリング（Scheduling）、セル検索（Cell search）、セル再選択（Cell reselection）、ハンドオーバ（Handover）、ラジオリンクまたは接続モニタリング（Radio link or Connection monitoring）、接続確立／再確立（Connection establish/re-establish）などを含むＲＲＭ（Radio Resource Management）動作をサポートする。このとき、サービングセルは、端末にＲＲＭ動作を行うための測定値であるＲＲＭ測定（measurement）情報を要求することができる。特に、ＬＴＥシステムでは、ＵＥが、各セルに対するセル検索（Cell search）情報、ＲＳＲＰ（Reference Signal Received Power）、ＲＳＲＱ（Reference Signal Received Quality）などの情報を測定して報告することができる。具体的には、ＬＴＥシステムでは、ＵＥが、サービングセルからＲＲＭ測定のための上位層信号として「ｍｅａｓＣｏｎｆｉｇ」を受信する。なお、端末は、この「ｍｅａｓＣｏｎｆｉｇ」の情報に従ってＲＳＲＰまたはＲＳＲＱを測定する。ここで、ＬＴＥシステムのＴＳ３６．２１４文書によるＲＳＲＰ、ＲＳＲＱおよびＲＳＳＩの定義は、以下の通りである。
【００４１】
−ＲＳＲＰ：ＲＳＲＰは、測定周波数帯域幅内で送信される、セル固有の参照信号（Cell Specific Reference Signal；ＣＲＳ）のリソース要素（Resource Element；ＲＥ）の電力寄与度（［Ｗ］）に対する線形平均で定義される。また、ＲＳＲＰの決定のために、ＴＳ  ３６．２１１によるＣＲＳ  Ｒ０が使用される。場合によっては、信頼性を高めるために、さらにＣＲＳ  Ｒ１が用いられる。ＲＳＲＰのための基準点は、ＵＥのアンテナコネクタになり、受信ダイバーシチが使用される場合、報告されるＲＳＲＰ値は、個別ダイバーシチのうちのいずれか１つのＲＳＲＰより低くてはならない。
【００４２】
−ＲＳＲＱ：ＲＳＲＱは、Ｎ＊ＲＳＲＰ／（Ｅ−ＵＴＲＡ搬送波のＲＳＳＩ）として定義される。このとき、Ｎは、Ｅ−ＵＴＲＡ搬送波ＲＳＳＩ測定帯域幅のＲＢ数である。このとき、‘Ｎ＊ＲＳＲＰ’の測定および‘Ｅ−ＵＴＲＡ搬送波のＲＳＳＩ’の測定は、同じリソースブロックセット（集合）（RB set）により行われる。
【００４３】
Ｅ−ＵＴＲＡ搬送波ＲＳＳＩは、サービングセルと非サービングセル（non-serving cell）との同一チャネル、隣接チャネル干渉、熱雑音などを含む全てのソースから得られるＮ個のリソースブロック上で、アンテナポート０のための参照シンボルを含むＯＦＤＭシンボルのみで測定された総受信電力の線形平均値により得られる。
【００４４】
上位層シグナリングがＲＳＲＰ測定を行うための特定のサブフレームを指示すると、ＲＳＳＩは、指示された全てのＯＦＤＭシンボル上で測定される。このときにも、ＲＳＲＱのための基準点は、ＵＥのアンテナコネクタになり、受信ダイバーシチが使用される場合、報告されるＲＳＲＱ値は、個別ダイバーシチのうちのいずれか１つのＲＳＲＱより低くてはならない。
【００４５】
−ＲＳＳＩ：受信器パルス成形（成型）フィルタ（Receiver Pulse Shaping Filter）により定義される帯域幅内で生成される雑音および熱雑音を含む広帯域受信電力（received wide band power）を意味する。このときにも、ＲＳＳＩのための基準点は、ＵＥのアンテナコネクタになり、受信ダイバーシチが使用される場合、報告されるＲＳＳＩ値は、個別ダイバーシチのうちのいずれか１つのＲＳＳＩより低くてはならない。
【００４６】
上記定義によって、ＬＴＥシステムで動作するＵＥは、周波数間測定の場合、ＳＩＢ３（System Information Block Type 3）で送信される許可された（許し）測定帯域幅（Allowed measurement bandwidth）関連のＩＥ（Information Element）に基づいて、６、１５、２５、５０、７５、１００個のＲＢのうちの１つに対応する帯域幅においてＲＳＲＰを測定するように許可される。また、Ｉｎｔｅｒ−ｆｒｅｑｕｅｎｃｙ  ｍｅａｓｕｒｅｍｅｎｔである場合は、ＳＩＢ５で送信される許可された測定帯域幅に基づいて、６、１５、２５、５０、７５、１００個のＲＢのうちの１つに対応する帯域幅においてＲＳＲＰを測定するように許可される。ＩＥがない場合には、デフォルトでＤＬシステムの全周波数帯域においてＲＳＲＰを測定することができる。ＵＥが許可された測定帯域幅の情報を受信する場合、ＵＥは、該当値を最大の測定帯域幅（maximum measurement bandwidth）であると思い、該当値以内で自由にＲＳＲＰの値を測定することができる。
【００４７】
ただし、サービングセルが、ＷＢ−ＲＳＲＱ（wide band RSRQ）として定義されるＩＥを送信し、許可された測定帯域幅（Allowed measurement bandwidth）を５０個のＲＢ以上に設定すると、ＵＥは、許可された測定帯域幅全体に対するＲＳＲＰ値を計算しなければならない。なお、ＲＳＳＩは、ＲＳＳＩ帯域幅の定義によってＵＥの受信器が有する周波数帯域で測定される。
【００４８】
ＮＲ通信システムは、データレート容量（capacity）、遅延（latency）、エネルギ消費およびコスト（費用）の面において、既存の４世代（４Ｇ）システムより優れた性能が求められる。したがって、ＮＲシステムは、帯域幅、スペクトル、エネルギ、シグナリング効率およびビット当たりのコストの領域で進歩が促されている。
【００４９】
＜参照信号（Reference Signal）＞
【００５０】
一般的に、チャネル測定のために、データと共に送受信側が既知である参照信号が送信側から受信側に送信される。かかる参照信号は、チャネル測定だけではなく、変調技法を知らせて復調過程が行われるようにする。参照信号は、基地局と特定の端末とのための専用参照信号（dedicated RS；ＤＲＳ）、すなわち、端末固有の参照信号とセル内における全ての端末のためのセル固有の参照信号である共通参照信号（common RSまたはCell specific RS；ＣＲＳ）とに区分される。また、セル固有の参照信号は、端末でＣＱＩ／ＰＭＩ／ＲＩを測定して基地局に報告するための参照信号を含み、これをＣＳＩ-ＲＳ（Channel State Information-RS）という。
【００５１】
図３は、ＬＴＥ／ＬＴＥ−Ａベースの無線通信システムにおいて、同期信号（Synchronization Signal、ＳＳ）の送信のための無線フレーム構造を例示する図である。特に、図３は、周波数分割双方向（Frequency Division Duplex、ＦＤＤ）において、同期信号およびＰＢＣＨの送信のための無線フレーム構造を例示しており、図３の（ａ）は、（Normal cyclic prefix）として設定された無線フレームにおけるＳＳおよびＰＢＣＨの送信位置を、図３の（ｂ）は、拡張ＣＰ（extended CP）として設定された無線フレームにおけるＳＳおよびＰＢＣＨの送信位置を示す。
【００５２】
以下、図３を参照しながら、ＳＳについてより具体的に説明する。ＳＳは、ＰＳＳ（Primary Synchronization SignalとＳＳＳ（Secondary Synchronization Signal）とに区分される。ＰＳＳは、ＯＦＤＭシンボル同期、スロット同期などの時間領域（ドメイン）同期および／または周波数領域同期を得るために使用され、ＳＳＳは、フレーム同期、セルグループＩＤならびに／またはセルのＣＰ設定（すなわち、ノーマル（一般）ＣＰもしくは拡張ＣＰの使用情報）を得るために使用される。図３を参照すると、ＰＳＳおよびＳＳＳは、各無線フレームの２つのＯＦＤＭシンボルで各々送信される。具体的には、ＳＳは、インタ−ＲＡＴ（inter radio Access technology）測定を容易にするためにＧＳＭ（Global System for Mobile communication）（登録商標）フレームの長さである４．６ｍｓを考慮して、サブフレーム０の１番目のスロットとサブフレーム５の１番目のスロットとで各々送信される。特に、ＰＳＳは、サブフレーム０の１番目のスロットの最後のＯＦＤＭシンボルとサブフレーム５の１番目のスロットの最後のＯＦＤＭシンボルとで各々送信され、ＳＳＳは、サブフレーム０の１番目のスロットの最後から２番目のＯＦＤＭシンボルとサブフレーム５の１番目のスロットの最後から２番目のＯＦＤＭシンボルとで各々送信される。該当無線フレームの境界は、ＳＳＳにより検出できる。ＰＳＳは、該当スロットの最後のＯＦＤＭシンボルで送信され、ＳＳＳは、ＰＳＳの直前のＯＦＤＭシンボルで送信される。ＳＳの送信ダイバーシチ（diversity）方式では、単一のアンテナポート（Single antenna port）のみを使用し、標準では別に定義されていない。
【００５３】
ＰＳＳは５ｍｓごとに送信されるので、ＵＥは、ＰＳＳを検出することにより、該当サブフレームがサブフレーム０およびサブフレーム５のうちの１つであることが分かるが、該当サブフレームがサブフレーム０およびサブフレーム５のうちの具体的にいずれであるかは分からない。よって、ＵＥは、ＰＳＳのみでは無線フレームの境界を認知できない。すなわち、ＰＳＳのみではフレーム同期を得られない。ＵＥは、１（個の）無線フレーム内で２回送信され、互いに異なるシーケンスとして送信されるＳＳＳを検出して無線フレームの境界を検出する。
【００５４】
ＰＳＳ／ＳＳＳを用いたセルサーチ過程を行って、ＵＬ信号の復調（demodulation）およびＵＬ信号の送信を正確な時点で行うために必要な時間および周波数パラメータを決定したＵＥは、ｅＮＢからＵＥのシステム設定に必要なシステム情報を得られなければ、ｅＮＢとの通信を行うことができない。
【００５５】
システム情報は、マスタ情報ブロック（Master Information Block、ＭＩＢ）およびシステム情報ブロック（System Information Block、ＳＩＢ）により設定される。各システム情報ブロックは、機能的に関連付けられたパラメータのセット（集まり）を含み、含まれるパラメータによって、マスタ情報ブロック（Master Information Block、ＭＩＢ）、システム情報ブロックタイプ１（System Information Block type 1、ＳＩＢ１）、システム情報ブロックタイプ２（System Information Block type 2、ＳＩＢ２）およびＳＩＢ３−ＳＩＢ１７に区分される。
【００５６】
ＭＩＢは、ＵＥがｅＮＢのネットワークに初期アクセス（接続）するために必須である、最も頻繁に送信されるパラメータを含む。ＵＥは、ＭＩＢをブロードキャストチャネル（例えば、ＰＢＣＨ）を介して受信する。ＭＩＢには、下りリンクシステム帯域幅（DL-Bandwidth、ＤＬ  ＢＷ）、ＰＨＩＣＨ設定、システムフレーム番号（ＳＦＮ）が含まれる。したがって、ＵＥは、ＰＢＣＨを受信することにより明示的に（explicit）ＤＬ  ＢＷ、ＳＦＮ、ＰＨＩＣＨ設定に関する情報を把握できる。一方、ＰＢＣＨの受信によりＵＥが暗黙的に（implicit）把握できる情報として、ｅＮＢの送信アンテナポート数がある。ｅＮＢの送信アンテナ数に関する情報は、ＰＢＣＨのエラー検出に使用される１６ビットＣＲＣ（Cyclic Redundancy Check）に送信アンテナ数に対応するシーケンスをマスク（例えば、ＸＯＲ演算）して暗黙的にシグナリングされる。
【００５７】
ＳＩＢ１は、他のＳＩＢの時間領域スケジューリングに関する情報だけではなく、特定セルがセル選択に適合したセルであるか否かを判断するために必要なパラメータを含む。ＳＩＢ１は、ブロードキャストシグナリングまたは専用（dedicated）シグナリングによりＵＥに受信される。
【００５８】
ＤＬ搬送波周波数および該当システム帯域幅は、ＰＢＣＨが運ぶＭＩＢにより得られる。ＵＬ搬送波周波数および該当システム帯域幅は、ＤＬ信号であるシステム情報により得られる。ＭＩＢを受信したＵＥは、該当セルに対して記憶（貯蔵）された有効システム情報がない場合、システム情報ブロックタイプ２（SystemInformationBlockType2、ＳＩＢ２）が受信されるまで、ＭＩＢ内のＤＬ  ＢＷ値をＵＬ帯域幅（ＵＬ  ＢＷ）に適用する。例えば、ＵＥは、システム情報ブロックタイプ２（SystemInformationBlockType2、ＳＩＢ２）を得て、ＳＩＢ２内のＵＬ−搬送波周波数およびＵＬ帯域幅情報により、自体がＵＬ送信に使用可能な全体のＵＬシステム帯域を把握することができる。
【００５９】
周波数領域において、ＰＳＳ／ＳＳＳおよびＰＢＣＨは、実際のシステム帯域幅とは関係なく、該当ＯＦＤＭシンボル内でＤＣ副搬送波を中心として左右３個ずつ合計６個のＲＢ、すなわち、合計７２個の副搬送波内でのみ送信される。したがって、ＵＥは、該ＵＥに設定された下りリンク送信帯域幅とは関係なく、ＳＳおよびＰＢＣＨを検出または復号できるように設定される。
【００６０】
初期セルサーチを終えたＵＥは、ｅＮＢへの接続を完了するためにランダムアクセス過程（random Access procedure）を行う。このために、ＵＥは、物理ランダムアクセスチャネル（physical random Access channel、ＰＲＡＣＨ）を介してプリアンブル（preamble）を送信し、ＰＤＣＣＨおよびＰＤＳＣＨを介してプリアンブルに対する応答メッセージを受信する。コンテンションベースのランダムアクセス（contention based random Access）の場合、さらなるＰＲＡＣＨの送信、また、ＰＤＣＣＨおよびＰＤＣＣＨに対応するＰＤＳＣＨなどの衝突解決手順（contention resolution procedure）を行うことができる。
【００６１】
かかる手順を行ったＵＥは、以降（今後）、一般的な上／下りリンクの信号送信手順としてＰＤＣＣＨ／ＰＤＳＣＨ受信およびＰＵＳＣＨ／ＰＵＣＣＨ送信を行う。
【００６２】
ランダムアクセス過程は、ランダムアクセスチャネル（random Access channel、ＲＡＣＨ）過程とも呼ばれる。ランダムアクセス過程は、初期アクセス、上りリンク同期調整、リソース割り当て、ハンドオーバなどの用途に様々に使用される。ランダムアクセス過程は、コンテンションベース（contention-based）過程と、専用の（dedicated）（すなわち、非コンテンションベース）過程と、に分かれる。コンテンションベースのランダムアクセス過程は、初期アクセスを含めて一般的に使用され、専用のランダムアクセス過程は、ハンドオーバなどに制限的に使用される。コンテンションベースのランダムアクセス過程において、ＵＥは、ＲＡＣＨプリアンブルシーケンスをランダム（任意）に（randomly）選択する。したがって、複数のＵＥが同時に同じＲＡＣＨプリアンブルシーケンスを送信することが可能であり、これにより、以降、コンテンション解決過程が必要である。反面、専用のランダムアクセス過程において、ＵＥは、ｅＮＢが該当ＵＥに一意（唯一）に割り当てたＲＡＣＨプリアンブルシーケンスを使用する。したがって、他のＵＥとの衝突なしでランダムアクセス過程を行うことができる。
【００６３】
コンテンションベースのランダムアクセス過程は、以下の４段階を含む。以下、段階１〜４で送信されるメッセージを各々メッセージ１〜４（Ｍｓｇ１〜Ｍｓｇ４）という。
【００６４】
−段階１：ＲＡＣＨプリアンブル（ｖｉａ  ＰＲＡＣＨ）（ＵＥ  ｔｏ  ｅＮＢ）
【００６５】
−段階２：ランダムアクセス応答（Random Access Response、ＲＡＲ）（ｖｉａ  ＰＤＣＣＨおよびＰＤＳＣＨ）（ｅＮＢ  ｔｏ  ＵＥ）
【００６６】
−段階３：レイヤ２／レイヤ３メッセージ（ｖｉａ  ＰＵＳＣＨ）（ＵＥ  ｔｏ  ｅＮＢ）
【００６７】
−段階４：コンテンション解決（contention resolution）メッセージ（ｅＮＢ  ｔｏ  ＵＥ）
【００６８】
専用のランダムアクセス過程は、以下の３段階を含む。以下、段階０〜２で送信されるメッセージを各々メッセージ０〜２（Ｍｓｇ０〜Ｍｓｇ２）という。ランダムアクセス過程の一部としてＲＡＲに対応する上りリンク送信（すなわち、段階３）も行われることができる。専用のランダムアクセス過程は、基地局がＲＡＣＨプリアンブル送信を命じる用途のＰＤＣＣＨ（以下、ＰＤＣＣＨオーダ）を用いてトリガされる。
【００６９】
−段階０：専用のシグナリングによるＲＡＣＨプリアンブル割り当て（ｅＮＢ  ｔｏ  ＵＥ）
【００７０】
−段階１：ＲＡＣＨプリアンブル（ｖｉａ  ＰＲＡＣＨ）（ＵＥ  ｔｏ  ｅＮＢ）
【００７１】
−段階２：ランダムアクセス応答（ＲＡＲ）（ｖｉａ  ＰＤＣＣＨおよびＰＤＳＣＨ）（ｅＮＢ  ｔｏ  ＵＥ）
【００７２】
ＲＡＣＨプリアンブルを送信した後、ＵＥは、所定の時間ウィンドウ内でランダムアクセス応答（ＲＡＲ）の受信を試みる。具体的には、ＵＥは、時間ウィンドウ内でＲＡ−ＲＮＴＩ（Random Access RNTI）を有するＰＤＣＣＨ（以下、ＲＡ−ＲＮＴＩ  ＰＤＣＣＨ）（例えば、ＰＤＣＣＨにおいてＣＲＣがＲＡ−ＲＮＴＩによってマスクされる）の検出を試みる。ＲＡ−ＲＮＴＩ  ＰＤＣＣＨを検出すると、ＵＥは、ＲＡ−ＲＮＴＩ  ＰＤＣＣＨに対応するＰＤＳＣＨ内に自体のためのＲＡＲが存在するか否かを確認する。ＲＡＲは、ＵＬ同期のためのタイミングオフセット情報を示すタイミングアドバンス（Timing Advance、ＴＡ）情報、ＵＬリソース割り当て情報（ＵＬグラント情報）、一時端末識別子（例えば、Temporary Cell-RNTI、ＴＣ−ＲＮＴＩ）などを含む。ＵＥは、ＲＡＲ内のリソース割り当て情報およびＴＡ値によってＵＬ送信（例えば、Ｍｓｇ３）を行うことができる。ＲＡＲに対応するＵＬ送信にはＨＡＲＱが適用される。したがって、ＵＥは、Ｍｓｇ３の送信後、Ｍｓｇ３に対応する受信応答情報（例えば、ＰＨＩＣＨ）を受信できる。
【００７３】
ランダムアクセスプリアンブル、すなわち、ＲＡＣＨプリアンブルは、物理層で長さTCPのサイクリックプリフィックス（循環前置）（cyclic prefix）および長さTSEQのシーケンス部分で構成される。TCPおよびTSEQは、フレーム構造およびランダムアクセス設定に依存する。プリアンブルフォーマットは、上位層により制御される。ＰＡＣＨプリアンブルは、ＵＬサブフレームで送信される。ランダムアクセスプリアンブルの送信は、特定時間および周波数リソースに制限される。かかるリソースをＰＲＡＣＨリソースといい、ＰＲＡＣＨリソースは、インデックス０が無線フレームにおける低い番号のＰＲＢおよびサブフレームに対応するように、無線フレーム内のサブフレーム番号および周波数領域において物理リソースブロック（Physical Resource Block；ＰＲＢ）の昇順（増加順）に番号付けられる。ランダムアクセスリソースがＰＲＡＣＨ設定インデックスによって定義される（３ＧＰＰ  ＴＳ  ３６．２１１標準文書参照）。ＰＲＡＣＨ設定インデックスは、（ｅＮＢで送信される）上位層信号により与えられる。
【００７４】
ＬＴＥ／ＬＴＥ−Ａシステムにおいて、ランダムアクセスプリアンブル、すなわち、ＲＡＣＨプリアンブルのための副搬送波間隔（Subcarrier Spacing）は、プリアンブルフォーマット０〜３の場合は１．２５ｋＨｚであり、プリアンブルフォーマット４の場合は７．５ｋＨｚであると規定される（３ＧＰＰ  ＴＳ  ３６．２１１を参照）。
【００７５】
図４は、ＳＳＢ構造を例示する。端末は、ＳＳＢに基づいて、セルサーチ、システム情報の獲得、初期アクセスのためのビームアラインメント（整列）、ＤＬ測定などを行う。ＳＳＢは、ＳＳ／ＰＢＣＨ（Synchronization Signal/Physical Broadcast channel）ブロックと混用される。
【００７６】
図４を参照すると、ＳＳＢは、ＰＳＳ、ＳＳＳおよびＰＢＣＨで構成される。ＳＳＢは、４つの連続するＯＦＤＭシンボルで構成され、ＯＦＤＭシンボルごとにＰＳＳ、ＰＢＣＨ、ＳＳＳ／ＰＢＣＨおよびＰＢＣＨが送信される。ＰＳＳおよびＳＳＳは、それぞれ一つのＯＦＤＭシンボルおよび１２７個の副搬送波で構成され、ＰＢＣＨは、３つのＯＦＤＭシンボルおよび５７６個の副搬送波で構成される。ＰＢＣＨには、ポーラ符号化（コーディング）（Polar Coding）およびＱＰＳＫ（Quadrature Phase Shift Keying）が適用される。ＰＢＣＨは、ＯＦＤＭシンボルごとにデータＲＥおよびＤＭＲＳ（DeModulation Reference Signal）ＲＥで構成される。ＲＢごとに３つのＤＭＲＳ  ＲＥが存在し、ＤＭＲＳ  ＲＥの間には、３つのデータＲＥが存在する。
【００７７】
一方、ＮＲシステムは、ＯＦＤＭ送信方式またはそれと類似する送信方式を使用する。新しいＲＡＴシステムは、ＬＴＥのＯＦＤＭパラメータとは異なるＯＦＤＭパラメータに従う。また、新しいＲＡＴシステムは、既存のＬＴＥ／ＬＴＥ−Ａのニューマロロジに従うが、より大きいシステム帯域幅（例えば、１００ＭＨｚ）を有することができる。あるいは、一つのセルが複数のニューマロロジをサポートすることもできる。すなわち、互いに異なるニューマロロジで動作するＵＥが、一つのセル内に共存することができる。
【００７８】
図５は、ＮＲで使用される無線フレームの構造を例示する図である。
【００７９】
ＮＲにおいて、上りリンクおよび下りリンク送信は、フレームで構成される。無線フレームは、１０ｍｓの長さを有し、２つの５ｍｓハーフフレーム（Half-Frame、ＨＦ）として定義される。ハーフフレームは、５つの１ｍｓサブフレーム（SubFrame、ＳＦ）として定義される。サブフレームは、１つまたは複数のスロットに分割され、サブフレーム内のスロット数は、ＳＣＳ（SubCarrier Spacing）に依存する。各スロットは、ＣＰ（Cyclic Prefix）によって１２個または１４個のＯＦＤＭ（Ａ）シンボルを含む。ノーマルＣＰが使用される場合、各スロットは、１４個のシンボルを含む。拡張ＣＰが使用される場合は、各スロットは、１２個のシンボルを含む。ここで、シンボルは、ＯＦＤＭシンボル（または、ＣＰ−ＯＦＤＭシンボル）、ＳＣ−ＦＤＭＡシンボル（または、ＤＦＴ−ｓ−ＯＦＤＭシンボル）を含むことができる。
【００８０】
表１は、ノーマルＣＰが使用される場合、ＳＣＳによって、スロットごとのシンボル数、フレームごとのスロット数およびサブフレームごとのスロット数が変化することを例示している。
【００８１】
［表１］
【表１】
2021503795.tif 000003
【００８２】
＊Ｎslotsymb：スロット内のシンボル数、＊Ｎframe,uslot：フレーム内のスロット数
【００８３】
＊Ｎsubframe,uslot：サブフレーム内のスロット数
【００８４】
表２は、拡張ＣＰが使用される場合、ＳＣＳによって、スロットごとのシンボル数、フレームごとのスロット数およびサブフレームごとのスロット数が変化することを例示している。
【００８５】
［表２］
【表２】
2021503795.tif 000004
【００８６】
ＮＲシステムでは、１つの端末にアグリゲート（併合）される複数のセル間でＯＦＤＭ（Ａ）ニューマロロジ（numerology）（例えば、ＳＣＳ、ＣＰ長さなど）が異なるように設定されることができる。これにより、同じ数のシンボルで構成された時間リソース（例えば、ＳＦ、スロットまたはＴＴＩ）（便宜上、ＴＵ（Time Unit）と通称）の（絶対時間）区間がアグリゲートされたセル間で異なるように設定されることができる。図６は、ＮＲフレームのスロット構造を例示している。スロットは、時間領域で複数のシンボルを含む。例えば、ノーマルＣＰの場合、１つのスロットが７つのシンボルを含むが、拡張ＣＰの場合は、１つのスロットが６つのシンボルを含む。搬送波は、周波数領域で複数の副搬送波を含む。ＲＢ（Resource Block）は、周波数領域で複数（例えば、１２）の連続する副搬送波として定義される。ＢＷＰは、周波数領域で複数の連続する（Ｐ）ＲＢとして定義され、１つのニューマロロジ（numerology）（例えば、ＳＣＳ、ＣＰ長さなど）に対応することができる。搬送波は、最大Ｎ個（例えば、５つ）のＢＷＰを含む。データ通信は、活性化されたＢＷＰで行われ、１つの端末には、１つのＢＷＰのみが活性（アクティブ）化される。リソースグリッドにおける各々の要素は、リソース要素（Resource Element、ＲＥ）と称され、１つの複素シンボルがマッピングされることができる。
【００８７】
図７は、セルフコンテインド（自己完結）（Self-contained）スロットの構造を例示している。ＮＲシステムにおいて、フレームは、１つのスロット内にＤＬ制御チャネル、ＤＬまたはＵＬデータ、ＵＬ制御チャネルなどを全て含むことができるセルフコンテインド構造を特徴とする。例えば、スロット内の最初のＮ個のシンボルは、ＤＬ制御チャネルを送信するときに使用され（以下、ＤＬ制御領域）、スロット内の最後のＭ個のシンボルは、ＵＬ制御チャネルを送信するときに使用される（以下、ＵＬ制御領域）。ＮおよびＭは、各々０以上の整数である。ＤＬ制御領域とＵＬ制御領域との間におけるリソース領域（以下、データ領域）は、ＤＬデータ送信のために使用されるか、またはＵＬデータ送信のために使用される。一例として、以下の構成を考慮できる。各区間は時間順である。
【００８８】
１．ＤＬのみの構成
【００８９】
２．ＵＬのみの構成
【００９０】
３．混合ＵＬ−ＤＬの構成
【００９１】
−ＤＬ領域＋ＧＰ＋ＵＬ制御領域
【００９２】
−ＤＬ制御領域＋ＧＰ＋ＵＬ領域
【００９３】
＊ＤＬ領域：（i）ＤＬデータ領域、（ii）ＤＬ制御領域＋ＤＬデータ領域
【００９４】
＊ＵＬ領域：（i）ＵＬデータ領域、（ii）ＵＬデータ領域＋ＵＬ制御領域
【００９５】
ＤＬ制御領域では、ＰＤＣＣＨが送信され、ＤＬデータ領域では、ＰＤＳＣＨが送信されることができる。ＵＬ制御領域では、ＰＵＣＣＨが送信され、ＵＬデータ領域では、ＰＵＳＣＨが送信されることができる。ＰＤＣＣＨでは、ＤＣＩ（Downlink Control Information）、例えば、ＤＬデータスケジューリング情報、ＵＬデータスケジューリング情報などが送信される。ＰＵＣＣＨでは、ＵＣＩ（Uplink Control Information）、例えば、ＤＬデータに対するＡＣＫ／ＮＡＣＫ（Positive ACKnowledgement/Negative ACKnowledgement）情報、ＣＳＩ（Channel State Information）情報、ＳＲ（Scheduling Request）などが送信される。ＧＰは、基地局および端末が送信モードから受信モードに転換する過程または受信モードから送信モードに転換する過程で時間ギャップを提供する。サブフレーム内でＤＬからＵＬに転換する時点の一部のシンボルが、ＧＰとして設定されることができる。
【００９６】
なお、ＮＲシステムは、広い周波数帯域を用いて多数のユーザに高い送信レート（率）を維持しながらデータを送信するために高い超高周波帯域、すなわち、６ＧＨｚ以上のミリ波周波数帯域を用いる方式を考慮している。３ＧＰＰでは、これをＮＲと称しており、以下、本発明では、ＮＲシステムと称する。しかしながら、ミリ波周波数帯域は、非常に高い周波数帯域を用いるため、距離による信号減衰が急激であるという周波数特性を有する。したがって、少なくとも６ＧＨｚ以上の帯域を使用するＮＲシステムでは、急激な電波減衰特性を補償するために、信号送信を全方向ではなく特定の方向にエネルギを集めて送信することにより、急激な電波減衰によるカバレッジ減少の問題を解決する狭ビーム（narrow beam）送信技法を使用している。しかしながら、１つの狭ビームのみでサービスする場合、１つの基地局がサービスを提供する範囲が狭くなるので、基地局は、多数の狭ビームを集めて広帯域にサービスを提供する。
【００９７】
ミリ波周波数帯域、すなわち、ミリ波長（millimeter Wave、ｍｍＷ）では波長が短くなって、同じ面積に多数のアンテナ要素を設けることが可能になる。例えば、１ｃｍ程度の波長を有する３０ＧＨｚ帯域においては、５×（ｂｙ）５ｃｍのパネルに０．５λ（波長）間隔で２次元配列形態で合計１００個のアンテナ要素を設けることができる。よって、ｍｍＷでは、多数のアンテナ要素を使用してビームフォーミング利得を高めてカバレッジを増加させるか、または処理量（throughput）を高めることが考えられる。
【００９８】
ミリ波周波数帯域において狭ビームを形成する方法として、基地局やＵＥから多数のアンテナに適切な位相差を用いて同じ信号を送信することにより、特定の方向でのみエネルギが高くなるビームフォーミング方式が主に考えられている。このようなビームフォーミング方式には、デジタルベースバンド（基底帯域）（baseband）信号に位相差を形成するデジタルビームフォーミング、変調されたアナログ信号に時間遅延（すなわち、循環シフト（遷移））を用いて位相差を形成するアナログビームフォーミング、デジタルビームフォーミングおよびアナログビームフォーミングを全て利用するハイブリッドビームフォーミングなどがある。アンテナ要素ごとに送信電力（パワー）および位相調節ができるようにトランシーバユニット（Transceiver Unit、ＴＸＲＵ）を有すると、周波数リソースごとに独立したビームフォーミングが可能になる。しかしながら、１００余個の全てのアンテナ要素にＴＸＲＵを設けることはコスト面で実効性が乏しい。すなわち、ミリ波周波数帯域は、急激な電波減衰特性を補償するために多数のアンテナを使用する必要があり、デジタルビームフォーミングは、アンテナ数ほどのＲＦコンポーネント（例えば、デジタルアナログコンバータ（ＤＡＣ）、ミキサ（mixer）、電力増幅器（power amplifier）、線形増幅器（linear amplifier）など）を必要とするので、ミリ波周波数帯域においてデジタルビームフォーミングを具現するためには、通信機器の単価が上がるという問題がある。したがって、ミリ波周波数帯域のようにアンテナが多く必要な場合には、アナログビームフォーミングまたはハイブリッドビームフォーミング方式が考慮される。アナログビームフォーミング方式は、１つのＴＸＲＵに多数のアンテナ要素をマッピングし、アナログ位相シフタ（遷移器）（analogue phase shifter）でビームの方向を調節する。かかるアナログビームフォーミング方式は、全帯域において１つのビーム方向のみを形成するので、周波数選択的ビームフォーミング（Beamforming、ＢＦ）ができないという短所がある。ハイブリッドＢＦは、デジタルＢＦとアナログＢＦとの中間形態であって、Ｑ個のアンテナ要素より少数であるＢ個のＴＸＲＵを有する方式である。ハイブリッドＢＦの場合、Ｂ個のＴＸＲＵとＱ個のアンテナ要素との接続方式によって差はあるが、同時に送信可能なビームの方向は、Ｂ個以下に制限される。
【００９９】
上述したように、デジタルビームフォーミングは、送信または受信デジタルのベースバンド信号に対して信号処理を行うので、マルチ（多重）ビームを用いて同時に複数の方向に信号を送信または受信できる反面、アナログビームフォーミングは、送信または受信アナログ信号を変調した状態でビームフォーミングを行うので、１つのビームがカバーする範囲を超える複数の方向に信号を同時に送信または受信することができない。通常、基地局は、広帯域送信またはマルチアンテナ特性を用いて同時に多数のユーザと通信を行うが、基地局がアナログまたはハイブリッドビームフォーミングを使用し、１つのビーム方向にアナログビームを形成する場合には、アナログビームフォーミングの特性上、同じアナログビーム方向内に含まれるユーザとのみ通信が可能である。後述する本発明によるＲＡＣＨリソース割り当ておよび基地局のリソース活用方式は、アナログビームフォーミングまたはハイブリッドビームフォーミングの特性により発生する制約事項を反映して提案される。
【０１００】
図８は、送受信器ユニット（Transceiver Unit、ＴＸＲＵ）および物理アンテナの観点でハイブリッドビームフォーミングの構造を抽象的に示す図である。
【０１０１】
複数のアンテナが使用される場合、デジタルビームフォーミングとアナログビームフォーミングとを結合したハイブリッドビームフォーミング技法が考えられている。このとき、アナログビームフォーミング（またはＲＦビームフォーミング）は、ＲＦユニットがプリコーディング（またはコンバイニング（組み合わせ）（combining））を行う動作を意味する。ハイブリッドビームフォーミングにおいて、ベースバンド（baseband）ユニットおよびＲＦユニットは、各々プリコーティング（またはコンバイニング）を行い、これにより、ＲＦチェーンの数とＤ／Ａ（またはＡ／Ｄ）コンバータの数とを減らしながら、デジタルビームフォーミングに近い性能を得られるという長所がある。説明の便宜上、ハイブリッドビームフォーミングの構造は、Ｎ個のＴＸＲＵとＭ個の物理アンテナとで表すことができる。このとき、送信端から伝送するＬ個のデータレイヤに対するデジタルビームフォーミングは、Ｌ×Ｌ行列で表され、その後、変換されたＮ個のデジタル信号はＴＸＲＵを介してアナログ信号に変換され、変換された信号に対してＭ×Ｎ行列で表されるアナログビームフォーミングが適用される。図６において、デジタルビームの数はＬであり、アナログビームの数はＮである。さらに、ＮＲシステムにおいては、アナログビームフォーミングをシンボル単位で変更できるように基地局を設計して、特定の地域に位置するＵＥに効率的なビームフォーミングをサポートする方向が考えられている。また、Ｎ個のＴＸＲＵとＭ個のＲＦアンテナとを１つのアンテナパネルとして定義したとき、ＮＲシステムにおいては、互いに独立したハイブリッドビームフォーミングが適用可能な複数のアンテナパネルを導入する方式も考えられている。以上のように基地局が複数のアナログビームを活用する場合、ＵＥごとに信号の受信に有利なアナログビームが異なるので、少なくとも同期信号、システム情報、ページング（paging）などについては、特定のスロットまたはサブフレームにおいて基地局が適用する複数のアナログビームをシンボルごとに変化させて全てのＵＥが受信機会を有するようにするビームスイーピング（beam sweeping）動作が考えられている。
【０１０２】
図９は、下りリンクの伝送過程における同期信号およびシステム情報に対するビームスイーピング（Beam sweeping）動作を示す図である。図９において、Ｎｅｗ  ＲＡＴシステムのシステム情報がブロードキャスト（Broadcasting）される物理リソースまたは物理チャネルをｘＰＢＣＨ（Physical Broadcast CHannel）と称する。このとき、１つのシンボル内において互いに異なるアンテナパネルに属するアナログビーム（Analog beam）が同時に伝送されることができ、アナログビーム（Analog beam）ごとにチャネルを測定するために、図９に示したように、特定のアンテナパネルに対応する単一のアナログビーム（Analog beam）のために伝送される参照信号（Reference Signal；ＲＳ）であるＢｅａｍ  ＲＳ（ＢＲＳ）を導入する方式が議論されている。ＢＲＳは、複数のアンテナポートに対して定義することができ、ＢＲＳの各アンテナポートは、単一のアナログビーム（Analog beam）に対応することができる。このとき、ＢＲＳとは異なり、同期信号（Synchronization signal）またはｘＰＢＣＨは、任意のＵＥがよく受信できるようにアナログビームグループ（Analog beam Group）に含まれる全てのアナログビーム（Analog beam）のために伝送されることができる。
【０１０３】
図１０は、新しい無線アクセス技術（New Radio Access Technology、ＮＲ）システムのセルを例示する図である。
【０１０４】
図１０を参照すると、ＮＲシステムにおいては、既存のＬＴＥなどの無線通信システムで１つの基地局が１つのセルを形成したのとは異なり、複数のＴＲＰが１つのセルを構成する方式が議論されている。複数のＴＲＰが１つのセルを構成すると、ＵＥをサービスするＴＲＰが変わっても中断されずに続けて通信が可能であり、ＵＥのモビリティ管理が容易である。
【０１０５】
ＬＴＥ／ＬＴＥ−Ａシステムにおいて、ＰＳＳ／ＳＳＳが全方位的（omni-direction）に伝送されるのに反して、ｍｍＷａｖｅを適用するｇＮＢが、ビーム方向を全方位に変化させながらＰＳＳ／ＳＳＳ／ＰＢＣＨなどの信号をビームフォーミングして伝送される方法が考えられている。このようにビーム方向を変化しながら信号を伝送／受信することをビームスイーピング（beam sweeping）またはビームスキャンという。本発明において“ビームスイーピング”は、伝送器側の行動であり、“ビームスキャン”は、受信器側の行動を示す。例えば、ｇＮＢが最大Ｎ個のビーム方向を有すると仮定すると、Ｎ個のビーム方向に対して各々ＰＳＳ／ＳＳＳ／ＰＢＣＨなどの信号を伝送する。すなわち、ｇＮＢは、自体が有し得るまたはサポートしようとする方向をスイープしながら各々の方向に対してＰＳＳ／ＳＳＳ／ＰＢＣＨなどの同期信号を伝送する。あるいは、ｇＮＢがＮ個のビームを形成できる場合、いくつかずつのビームを集めて１つのビームグループを構成でき、ビームグループごとにＰＳＳ／ＳＳＳ／ＰＢＣＨを伝送／受信することができる。このとき、１つのビームグループは、１つまたは複数のビームを含む。同じ方向に伝送されるＰＳＳ／ＳＳＳ／ＰＢＣＨなどの信号が１つのＳＳブロックとして定義されることができ、１つのセル内に複数のＳＳブロックが存在することができる。複数のＳＳブロックが存在する場合、各ＳＳブロックの区分のために、ＳＳブロックインデックスを使用できる。例えば、１つのシステムにおいて１０個のビーム方向にＰＳＳ／ＳＳＳ／ＰＢＣＨが伝送される場合、同方向へのＰＳＳ／ＳＳＳ／ＰＢＣＨが１つのＳＳブロックを構成することができ、該当システムでは、１０個のＳＳブロックが存在すると理解できる。本発明において、ビームインデックスは、ＳＳブロックインデックスと解釈（解析）できる。
【０１０６】
なお、本発明の本格的な説明に入る前に、本発明で表現する‘上位ビット’および‘最上位ビット’は、情報ビット列において最高桁の数を最も右側に配置する場合における、左側のビットを意味する。すなわち、情報ビット列において最高桁の数を最も左側に配置する配列において、情報ビットが示す値が定数の偶数であるか奇数であるかを決定する単位値となるビットであるＬＳＢ（Least Significant Bit、最下位ビット）と同じ意味に解釈できる。
【０１０７】
同様に、‘下位ビット’および‘最下位ビット’は、情報ビット列において最高桁の数を最も右側に配置する場合における、右側のビットを意味する。これは、情報ビット列において最高桁の数を最も左側に配置する配列において、ＭＳＢ（Most Significant Bit、最上位ビット）と同じ意味に解釈できる。
【０１０８】
例えば、後述する内容のうち、‘ＳＦＮ上位Ｎ−ｂｉｔ情報を得（例えば、Ｓ０、Ｓ１、Ｓ２）、ＰＢＣＨコンテンツからその他の（１０−Ｎ）ｂｉｔに該当するＳＦＮ情報（例えば、Ｓ３〜Ｓ９）を得て、合計１０ビットのＳＦＮ情報を構成できる’という表現がある。
【０１０９】
これは、情報ビット列の順を最高桁の数を最も右側に配置する配列、すなわち、（Ｓ０  Ｓ１  Ｓ２  Ｓ３…Ｓ９）のように構成された情報ビット列において、‘上位Ｎ−ｂｉｔ’は、左側のＮ−ｂｉｔ（例えば、Ｓ０  Ｓ１  Ｓ２）を意味し、‘その他の（１０−Ｎ）ｂｉｔ’は、右側（１０−Ｎ）ｂｉｔ（例えば、Ｓ３〜Ｓ９）を意味する。これをＬＳＢおよびＭＳＢと表現する場合、（Ｓ９  Ｓ８  Ｓ７・・・Ｓ１  Ｓ０）の順に表現される情報ビット列において、ＬＳＢ  Ｎ−ｂｉｔと表現する場合、ビット列は（例えば、Ｓ２  Ｓ１  Ｓ０）の順に表現され、その他の‘（１０−Ｎ）ｂｉｔ（例えば、Ｓ３〜Ｓ９）’をＭＳＢ（１０−Ｎ）ｂｉｔと表現する場合、ビット列は（Ｓ９  Ｓ８  Ｓ７…Ｓ３）の順で表現される。
【０１１０】
１．ＳＳブロック構成
【０１１１】
ＰＳＳをＳＳブロックの前部に配置する場合、１２０ｋＨｚおよび２４０ｋＨｚの副搬送波間隔を用いるとき、端末のＡＧＣ（Automatic Gain Control）動作に問題が発生することができる。すなわち、１２０ｋＨｚおよび２４０ｋＨｚの副搬送波間隔の場合、ＡＧＣ動作によりＮＲ−ＰＳＳの検出が良好に行われないことがある。よって、以下の２つの実施例のようにＳＳブロック構成を変更することが考えられる。
【０１１２】
（方式１）ＰＢＣＨ−ＰＳＳ−ＰＢＣＨ−ＳＳＳ
【０１１３】
（方式２）ＰＢＣＨ−ＰＳＳ−ＰＢＣＨ−ＳＳＳ−ＰＢＣＨ
【０１１４】
すなわち、ＰＢＣＨシンボルをＳＳブロックの開始部分に配置し、ＰＢＣＨシンボルをＡＧＣ動作のためのダミー（Dummy）シンボルとして使用することで、端末のＡＧＣ動作がより円滑に行われる。
【０１１５】
２．ＳＳバーストセット（集合）構成
【０１１６】
図１１は、ＳＳブロックを配置する副搬送波間隔が１２０ｋＨｚの場合と２４０ｋＨｚの場合とのＳＳバーストセット構成を示す。図１１を参照すると、１２０ｋＨｚおよび２４０ｋＨｚの副搬送波を有する場合、４個のＳＳバースト単位で所定間隔を空けて、ＳＳバーストを構成する。すなわち、０．５ｍｓ単位で０．１２５ｍｓの上りリンク送信のためのシンボル区間を空けて、ＳＳブロックを配置する。
【０１１７】
ところが、６ＧＨｚ以上の周波数範囲において、６０ｋＨｚの副搬送波間隔がデータ送信のために用いられてもよい。すなわち、図１２に示すように、ＮＲでは、データ送信のための６０ｋＨｚの副搬送波間隔と、ＳＳブロック送信のための１２０ｋＨｚまたは２４０ｋＨｚの副搬送波間隔と、が多重化されることができる。
【０１１８】
一方、図１２のボックスで表した部分から分かるように、１２０ｋＨｚの副搬送波間隔のＳＳブロックと６０ｋＨｚの副搬送波間隔のデータとが多重化されながら、１２０ｋＨｚの副搬送波間隔のＳＳブロックと６０ｋＨｚの副搬送波間隔のＧＰおよび下りリンク制御領域との間に衝突または重畳が発生する。ＳＳブロックとＤＬ／ＵＬ制御領域との衝突は出来る限り避けた方が好ましいため、ＳＳバーストおよびＳＳバーストセット構成の修正が要求される。
【０１１９】
本発明では、これを解決するためのＳＳバースト構成の修正方法（方向）として２つの実施例を提案する。
【０１２０】
第１の実施例は、図１３に示すように、ＳＳバーストフォーマット１およびＳＳバーストフォーマット２の位置を変更する方法である。すなわち、図１２のボックス内におけるＳＳバーストフォーマット１とフォーマット２とを置き換えることで、ＳＳブロックとＤＬ／ＵＬ制御領域との衝突が発生しないようにする。換言すれば、ＳＳバーストフォーマット１が６０ｋＨｚの副搬送波間隔のスロットの前部に位置し、ＳＳバーストフォーマット２が６０ｋＨｚの副搬送波間隔のスロットの後部に位置する。
【０１２１】
上述した実施例をまとめると、以下の通りである。
【０１２２】
１）１２０ＫＨｚの副搬送波間隔
【０１２３】
−候補ＳＳＢの第１番目のＯＦＤＭシンボルのインデックスは、｛４，８，１６，２０，３２，３６，４４，４８｝＋７０＊ｎを有する。このとき、搬送波周波数が６ＧＨｚよりも大きい場合、ｎ＝０，２，４，６である。（ｔｈｅ  ｆｉｒｓｔ  ＯＦＤＭ  ｓｙｍｂｏｌｓ  ｏｆ  ｔｈｅ  ｃａｎｄｉｄａｔｅ  ＳＳ／ＰＢＣＨ  ｂｌｏｃｋｓ  ｈａｖｅ  ｉｎｄｅｘｅｓ｛４，  ８，  １６，  ２０，  ３２，  ３６，  ４４，  ４８｝＋７０＊ｎ．  Ｆｏｒ  ｃａｒｒｉｅｒ  ｆｒｅｑｕｅｎｃｉｅｓ  ｌａｒｇｅｒ  ｔｈａｎ  ６  ＧＨｚ，  ｎ＝０，  ２，  ４，  ６）
【０１２４】
−候補ＳＳＢの第１番目のＯＦＤＭシンボルのインデックスは、｛２，６，１８，２２，３０，３４，４６，５０｝＋７０＊ｎを有する。このとき、搬送波周波数が６ＧＨｚよりも大きい場合、ｎ＝１，３，５，７である。（ｔｈｅ  ｆｉｒｓｔ  ＯＦＤＭ  ｓｙｍｂｏｌｓ  ｏｆ  ｔｈｅ  ｃａｎｄｉｄａｔｅ  ＳＳ／ＰＢＣＨ  ｂｌｏｃｋｓ  ｈａｖｅ  ｉｎｄｅｘｅｓ  ｛２，  ６，  １８，  ２２，  ３０，  ３４，  ４６，  ５０｝＋７０＊ｎ．  Ｆｏｒ  ｃａｒｒｉｅｒ  ｆｒｅｑｕｅｎｃｉｅｓ  ｌａｒｇｅｒ  ｔｈａｎ  ６  ＧＨｚ，  ｎ＝１，  ３，  ５，  ７.）
【０１２５】
２）２４０ＫＨｚの副搬送波間隔
【０１２６】
−候補ＳＳＢの第１番目のＯＦＤＭシンボルのインデックスは、｛８，１２，１６，２０，３２，３６，４０，４４，６４，６８，７２，７６，８８，９２，９６，１００｝＋１４０＊ｎを有する。このとき、搬送波周波数が６ＧＨｚよりも大きい場合、ｎ＝０，２である。（ｔｈｅ  ｆｉｒｓｔ  ＯＦＤＭ  ｓｙｍｂｏｌｓ  ｏｆ  ｔｈｅ  ｃａｎｄｉｄａｔｅ  ＳＳ／ＰＢＣＨ  ｂｌｏｃｋｓ  ｈａｖｅ  ｉｎｄｅｘｅｓ  ｛８，  １２，  １６，  ２０，  ３２，  ３６，  ４０，  ４４，  ６４，  ６８，  ７２，  ７６，  ８８，  ９２，  ９６，  １００｝＋１４０＊ｎ．  Ｆｏｒ  ｃａｒｒｉｅｒ  ｆｒｅｑｕｅｎｃｉｅｓ  ｌａｒｇｅｒ  ｔｈａｎ  ６  ＧＨｚ，  ｎ＝０，  ２）
【０１２７】
−候補ＳＳＢの第１番目のＯＦＤＭシンボルのインデックスは、｛４，８，１２，１６，３６，４０，４４，４８，６０，６４，６８，７２，９２，９６，１００，１０４｝＋１４０＊ｎを有する。このとき、搬送波周波数が６ＧＨｚよりも大きい場合、ｎ＝１，３である。（ｔｈｅ  ｆｉｒｓｔ  ＯＦＤＭ  ｓｙｍｂｏｌｓ  ｏｆ  ｔｈｅ  ｃａｎｄｉｄａｔｅ  ＳＳ／ＰＢＣＨ  ｂｌｏｃｋｓ  ｈａｖｅ  ｉｎｄｅｘｅｓ  ｛４，  ８，  １２，  １６，  ３６，  ４０，  ４４，  ４８，  ６０，  ６４，  ６８，  ７２，  ９２，  ９６，  １００，  １０４｝＋１４０＊ｎ．  Ｆｏｒ  ｃａｒｒｉｅｒ  ｆｒｅｑｕｅｎｃｉｅｓ  ｌａｒｇｅｒ  ｔｈａｎ  ６  ＧＨｚ，  ｎ＝１，  ３）
【０１２８】
第２の実施例は、図１４に示すように、ＳＳバーストセット構成を変更する方法である。すなわち、ＳＳバーストセットは、ＳＳバーストセットの開始境界と６０ｋＨｚの副搬送波間隔スロットの開始境界とが整列されるように、すなわち、一致するように構成される。
【０１２９】
具体的には、ＳＳバーストは、１ｍｓの間に局所的に配置されるＳＳブロックで構成される。よって、１ｍｓの間、１２０ｋＨｚの副搬送波間隔のＳＳバーストは、１６個のＳＳブロックを有し、２４０ｋＨｚの副搬送波間隔のＳＳバーストは、３２個のＳＳブロックを有することになる。このようにＳＳバーストを構成すると、ＳＳバーストの間に６０ｋＨｚの副搬送波間隔を基準として１つのスロットがギャップ（gap）として割り当てられる。
【０１３０】
上述した第２の実施例をまとめると、以下の通りである。
【０１３１】
１）１２０ＫＨｚの副搬送波間隔
【０１３２】
−候補ＳＳＢの第１番目のＯＦＤＭシンボルのインデックスは、｛４，８，１６，２０｝＋２８＊ｎを有する。このとき、搬送波周波数が６ＧＨｚよりも大きい場合、ｎ＝０，１，２，３，５，６，７，８，１０，１１，１２，１３，１５，１６，１７，１８である。（ｔｈｅ  ｆｉｒｓｔ  ＯＦＤＭ  ｓｙｍｂｏｌｓ  ｏｆ  ｔｈｅ  ｃａｎｄｉｄａｔｅ  ＳＳ／ＰＢＣＨ  ｂｌｏｃｋｓ  ｈａｖｅ  ｉｎｄｅｘｅｓ  ｛４，  ８，  １６，  ２０｝＋２８＊ｎ．  Ｆｏｒ  ｃａｒｒｉｅｒ  ｆｒｅｑｕｅｎｃｉｅｓ  ｌａｒｇｅｒ  ｔｈａｎ  ６ＧＨｚ，  ｎ＝０，  １，  ２，  ３，  ５，  ６，  ７，  ８，  １０，  １１，  １２，  １３，  １５，  １６，  １７，  １８）
【０１３３】
２）２４０ＫＨｚの副搬送波間隔
【０１３４】
−候補ＳＳＢの第１番目のＯＦＤＭシンボルのインデックスは、｛８，１２，１６，２０，３２，３６，４０，４４｝＋５６＊ｎを有する。このとき、搬送波周波数が６ＧＨｚよりも大きい場合、ｎ＝０，１，２，３，５，６，７，８である。（ｔｈｅ  ｆｉｒｓｔ  ＯＦＤＭ  ｓｙｍｂｏｌｓ  ｏｆ  ｔｈｅ  ｃａｎｄｉｄａｔｅ  ＳＳ／ＰＢＣＨ  ｂｌｏｃｋｓ  ｈａｖｅ  ｉｎｄｅｘｅｓ  ｛８，  １２，  １６，  ２０，  ３２，  ３６，  ４０，  ４４｝＋５６＊ｎ．  Ｆｏｒ  ｃａｒｒｉｅｒ  ｆｒｅｑｕｅｎｃｉｅｓ  ｌａｒｇｅｒ  ｔｈａｎ  ６  ＧＨｚ，  ｎ＝０，  １，  ２，  ３，  ５，  ６，  ７，  ８.）
【０１３５】
３．５ｍｓ区間において実際に送信されるＳＳ／ＰＢＣＨブロックを指示する方法（The indication of actually transmitted SS/PBCH block within 5ms duration）
【０１３６】
一方、ネットワーク環境によっては、ＳＳブロック送信のための候補数に制限があり得る。例えば、ＳＳブロックが配置される副搬送波間隔に応じて、候補の数が異なる。この場合、実際に送信されるＳＳブロックの位置をＣＯＮＮＥＣＴＥＤ／ＩＤＬＥモードでＵＥに知らせることができる。このとき、実際に送信されるＳＳブロックの位置を知らせるＡｃｔｕａｌ  ｔｒａｎｓｍｉｔｔｅｄ  ＳＳ／ＰＢＣＨ  ｂｌｏｃｋ  ｉｎｄｉｃａｔｉｏｎは、サービングセルのためには、リソース活用の目的、例えば、レートマッチングのために使用され、隣接セルのためには、当該リソースに関連する測定のために使用されることができる。
【０１３７】
サービングセルに関連して、ＵＥが送信されないＳＳブロックに対して正確に認知できる場合は、ＵＥは、送信されていないＳＳブロックの候補リソースを介してページングまたはデータのような他の情報が受信可能であることを認知することができる。このようなリソースの柔軟性のために、サービングセルにおいて実際に送信されるＳＳブロックは、正確に指示される必要がある。
【０１３８】
すなわち、ＳＳブロックが送信されるリソースでは、ページングまたはデータのような他の情報を受信することができないため、実際にＳＳブロックが送信されないＳＳブロックによって他のデータまたは他の信号を受信して、リソース活用の効率性を高めるために、ＵＥは、ＳＳブロックが実際に送信されないＳＳブロック候補について認知する必要がある。
【０１３９】
よって、サービングセルで実際に送信されるＳＳブロックを正確に指示するために、４、８または６４ビットのフルビットマップ情報が求められる。このとき、ビットマップに含まれるビットサイズは、各周波数範囲において最大限に送信可能なＳＳブロックの数によって決定される。例えば、５ｍｓ区間において実際に送信されるＳＳブロックを指示するために、３ＧＨｚから６ＧＨｚの周波数範囲では８ビットが要求され、６ＧＨｚ以上の周波数範囲では６４ビットが要求される。
【０１４０】
サービングセルにおいて実際に送信されるＳＳブロックのためのビットは、ＲＭＳＩまたはＯＳＩで定義でき、ＲＭＳＩ／ＯＳＩは、データまたはページングのための設定情報を含む。Ａｃｔｕａｌ  ｔｒａｎｓｍｉｔｔｅｄ  ＳＳ／ＰＢＣＨ  ｂｌｏｃｋ  ｉｎｄｉｃａｔｉｏｎは、下りリンクリソースのための設定に関連するため、ＲＭＳＩ／ＯＳＩが実際に送信されるＳＳブロック情報を含むことに帰する。
【０１４１】
一方、隣接セル測定のために隣接セルのＡｃｔｕａｌ  ｔｒａｎｓｍｉｔｔｅｄ  ＳＳ／ＰＢＣＨ  ｂｌｏｃｋ  ｉｎｄｉｃａｔｉｏｎが求められる。すなわち、隣接セルの測定のために隣接セルの時間同期情報を取得する必要があるが、ＮＲシステムのＴＲＰ間の非同期送信を許可するように設計する場合、隣接セルの時間同期情報を知らせても、その情報の正確性は、状況によって変化する。よって、隣接セルの時間情報を知らせるときには、ＴＲＰ間の非同期送信を仮定しながらも、ＵＥに有効な情報として、その時間情報の単位が決定される必要がある。
【０１４２】
ただし、リストされたセル（listed cell）が多い場合、フルビットマップタイプの指示子は、シグナリングオーバーヘッドを過度に増加させる恐れがある。よって、シグナリングオーバーヘッドを減少させるために、多様に圧縮されたタイプの指示子を考慮してもよい。一方、隣接セルの測定のためのみならず、シグナリングオーバーヘッドを減少させるために、サービングセルが送信するＳＳブロックのための指示子として圧縮されたタイプの指示子を考慮してもよい。換言すれば、後述するＳＳブロック指示子は、隣接セルおよびサービングセルの実際に送信されるＳＳブロック指示のために使用されることができる。また、上述のように、ＳＳバーストは、各副搬送波による１つのスロットに含まれるＳＳブロックのセットを意味してもよいが、後述する実施例に限って、ＳＳバーストは、スロットには関係なく、所定数のＳＳブロックをグループ化したＳＳブロックグループを意味してもよい。
【０１４３】
図１５に示された１つの実施例によると、ＳＳバーストが８個のＳＳブロックで構成されると仮定すると、６４個のＳＳブロックが位置可能な６ＧＨｚ以上の帯域で全８個のＳＳバーストが存在することができる。
【０１４４】
ここで、ＳＳブロックをＳＳバーストでグループ化するのは、６４ビットのビットマップ全体を圧縮するためである。６４ビットのビットマップ情報の代わりに、実際に送信されるＳＳブロックを含むＳＳバーストを指示する８ビット情報を用いることができる。８ビットのビットマップ情報がＳＳバースト＃０を指示する場合は、ＳＳバースト＃０は、実際に送信されるＳＳブロックを１つまたは複数含むことができる。
【０１４５】
ここで、ＵＥにＳＳバースト当たりの送信されるＳＳブロックの数をさらに指示するための追加情報を考慮してもよい。追加情報によって指示されるＳＳブロックの数だけ各ＳＳバーストに局所的にＳＳブロックが存在してもよい。
【０１４６】
よって、追加情報によって指示されるＳＳバースト当たりの実際に送信されるＳＳブロックの数と、実際に送信されるＳＳブロックを含むＳＳバーストを指示するためのビットマップと、を組み合わせて、ＵＥは、実際に送信されるＳＳブロックを推定することができる。
【０１４７】
例えば、以下の表１のような指示を仮定することができる。
【０１４８】
［表３］
【表３】
2021503795.tif 000005
【０１４９】
すなわち、表３によると、８ビットのビットマップによって、ＳＳバースト＃０、＃１、＃７にＳＳブロックが含まれていることが分かり、追加情報によって、各ＳＳバーストに４個のＳＳブロックが含まれていることが分かるため、結局、ＳＳバースト＃０、＃１、＃７の前に４個の候補位置によってＳＳブロックが送信されることを推定することができる。
【０１５０】
一方、上述した例とは異なり、追加情報もビットマップ形式で伝達することで、ＳＳブロックが送信される位置の柔軟性を有することができる。
【０１５１】
例えば、ＳＳバースト送信に関する情報は、ビットマップで指示し、ＳＳバースト内に送信されるＳＳブロックをその他のビットで指示する方法がある。
【０１５２】
すなわち、全６４個のＳＳブロックを各々８個のＳＳバースト（すなわち、ＳＳブロックグループ）に区分して、８ビットのビットマップ送信によっていずれのＳＳバーストが使用されるかを端末に知らせる。図１５に示すようにＳＳバーストを定義すると、副搬送波間隔が６０ｋＨｚであるスロットと多重化する場合、ＳＳバーストと６０ｋＨｚの副搬送波を有するスロットの境界とが整列されるメリットがある。よって、ビットマップによってＳＳバーストを使用するか否かを指示すると、６Ｇｈｚ以上の周波数帯域では、全ての副搬送波間隔に対してスロット単位でＳＳブロックの送信の有無を端末が認知することができる。
【０１５３】
ここで、上述した例と異なる点は、追加情報をビットマップ方式で知らせることである。この場合、各々のＳＳバーストに含まれる８個のＳＳブロックに対してビットマップ情報を送信しなければならないため、８ビットが必要であり、当該追加情報は、全てのＳＳバーストに共通して適用される。例えば、ＳＳバーストに対するビットマップ情報によって、ＳＳバースト＃０およびＳＳバースト＃１が使用されることが指示され、ＳＳブロックに対する追加ビットマップ情報によって、ＳＳバーストにおいて第１番目および第５番目のＳＳブロックが送信されることが指示された場合、ＳＳバースト＃０およびＳＳバースト＃１では、いずれも第１番目および第５番目のＳＳブロックが送信され、実際に送信されるＳＳブロックは、合計４個になる。
【０１５４】
一方、いくつかの隣接セルは、セルリストに含まれていなくてもよいが、セルリストに含まれていない隣接セルは、実際に送信されるＳＳブロックのためのデフォルト（基本）フォーマット（default format）を使用する。このようなデフォルトフォーマットを用いることで、ＵＥは、リストに含まれていない隣接セルに対する測定を行うことができる。このとき、上述したデフォルトフォーマットは、予め定義されるか、ネットワークによって設定されてもよい。
【０１５５】
一方、サービングセルで送信される実際に送信されるＳＳブロックに関する情報と、隣接セルで送信される実際に送信されるＳＳブロックに関する情報と、が衝突する（かち合う）場合、端末は、サービングセルで送信されるＳＳブロック情報を優先して、実際に送信されるＳＳブロックに関する情報を取得することができる。
【０１５６】
すなわち、実際に送信されるＳＳブロックに関する情報がフルビットマップタイプおよびグループ化タイプで受信された場合、フルビットマップタイプの情報の精度が高い可能性が大きいため、フルビットマップタイプの情報を優先してＳＳブロック受信に利用することができる。
【０１５７】
４．システムフレーム番号、ハーフフレーム境界
【０１５８】
ＳＦＮ情報の下位のＮ−ｂｉｔｓは、ＰＢＣＨペイロードで伝達され、上位のＭ−ｂｉｔは、ＰＢＣＨスクランブルシーケンスで伝達される。なお、ＳＦＮ情報の上位のＭ−ｂｉｔｓのうち、最上位の１−ｂｉｔは、ＰＢＣＨ  ＤＭＲＳ、ＮＲ−ＳＳＳまたはＳＳ  ｂｌｏｃｋの時間／周波数位置の変化により伝達される。さらに、ハーフ無線フレーム（５ｍｓ）の境界に関する情報は、ＰＢＣＨ  ＤＭＲＳ、ＮＲ−ＳＳＳまたはＳＳブロックの時間／周波数位置の変化により伝達される。
【０１５９】
ここで、‘上位ビット’および‘最上位ビット’は、情報ビット列において最高桁の数を最も右側に配置する場合における、左側のビットを意味する。これは、情報ビット列において最高桁の数を最も左側に配置する配列において、定数の偶数であるか奇数であるかを決定する単位値となるビットであるＬＳＢ（Least Significant Bit、最下位のビット）と同じ意味に解釈できる。
【０１６０】
また、‘下位ビット’および‘最下位ビット’は、情報ビット列において最高桁の数を最も右側に配置する場合における、右側のビットを意味する。これは、情報ビット列において最高桁の数を最も左側に配置する配列において、ＭＳＢ（Most Significant Bit、最上位のビット）と同じ意味に解釈できる。
【０１６１】
５．ＮＲ−ＰＢＣＨコンテンツ
【０１６２】
ＵＥは、セルＩＤおよびシンボルタイミング情報を検出した後、ＳＦＮ、ＳＳブロックインデックス、ハーフフレームタイミングなどのタイミング情報の一部、時間／周波数の位置などの共通制御チャネルに関する情報、帯域幅、ＳＳブロックの位置などの帯域幅パート（Bandwidth part）情報、ＳＳバーストセット周期および実際に送信されたＳＳブロックインデックスなどのＳＳバーストセット情報などを含むＰＢＣＨから、ネットワークアクセスのための情報を取得することができる。
【０１６３】
５７６（個の）ＲＥという制限された時間／周波数リソースのみがＰＢＣＨのために占有されるため、ＰＢＣＨには必須情報が含まれる必要がある。また、可能であれば、必須情報または追加情報をさらに含めるために、ＰＢＣＨ  ＤＭＲＳなどの補助信号を使用することができる。
【０１６４】
（１）ＳＦＮ（System Frame Number）
【０１６５】
ＮＲでは、システムフレーム番号（ＳＦＮ）を定義して、１０ｍｓ間隔を区別することができる。また、ＬＴＥシステムと同様に、ＳＦＮのために０と１０２３との間のインデックスを導入することができ、このインデックスは、明示的にビットを用いて指示するか、暗示的な方式で示すことができる。
【０１６６】
ＮＲでは、ＰＢＣＨ  ＴＴＩが８０ｍｓであり、最小ＳＳバースト周期が５ｍｓである。よって、最大１６倍のＰＢＣＨが８０ｍｓ単位で送信されることができ、各送信に対して異なるスクランブルシーケンスがＰＢＣＨエンコードされたビットに適用可能である。ＵＥは、ＬＴＥ  ＰＢＣＨデコーディング動作と同様に、１０ｍｓ間隔を検出することができる。この場合、ＳＦＮの８個の状態がＰＢＣＨスクランブルシーケンスによって暗示的に表され、ＳＦＮを示すための７ビットがＰＢＣＨコンテンツ（内容）によって定義されることができる。
【０１６７】
（２）無線フレーム内のタイミング情報
【０１６８】
ＳＳブロックインデックスは、搬送波周波数の範囲に応じて、ＰＢＣＨ  ＤＭＲＳシーケンスおよび／またはＰＢＣＨコンテンツに含まれるビットによって明示的に指示されることができる。例えば、６ＧＨｚ以下の周波数帯域に対しては、ＳＳブロックインデックスの３ビットがＰＢＣＨ  ＤＭＲＳシーケンスでのみ伝達される。また、６ＧＨｚ以上の周波数帯域に対して、ＳＳブロックインデックスの最下位３ビットは、ＰＢＣＨ  ＤＭＲＳシーケンスで表され、ＳＳブロックインデックスの最上位３ビットは、ＰＢＣＨコンテンツによって伝達される。すなわち、６ＧＨｚ〜５２．６ＧＨｚの周波数範囲に限って、ＳＳブロックインデックスのための最大３ビットがＰＢＣＨコンテンツに定義されることができる。
【０１６９】
また、ハーフフレームの境界は、ＰＢＣＨ  ＤＭＲＳシーケンスによって伝達されることができる。特に、３ＧＨｚ以下の周波数帯域においてハーフフレーム指示子がＰＢＣＨ  ＤＭＲＳに含まれる場合、ＰＢＣＨコンテンツにハーフフレーム指示子が含まれるよりも効果を高めることができる。すなわち、３Ｇｈｚ以下の周波数帯域では、主にＦＤＤ方式が用いられるため、サブフレームまたはスロット間の時間同期が外れる程度が大きい可能性がある。よって、より正確な時間同期を取るためには、ＰＢＣＨコンテンツよりデコーディング性能の良好なＰＢＣＨ  ＤＭＲＳによってハーフフレーム指示子を伝達した方が有利である。
【０１７０】
ただし、３Ｇｈｚ帯域を越える場合は、ＴＤＤ方式が多く使われるため、サブフレームまたはスロット間の時間同期が外れる程度が大きくないことから、ＰＢＣＨコンテンツによってハーフフレーム指示子を伝達しても、不利益は少ないことができる。
【０１７１】
一方、ハーフフレーム指示子は、ＰＢＣＨ  ＤＭＲＳおよびＰＢＣＨコンテンツの両方によって伝達されてもよい。
【０１７２】
（４）ＰＢＣＨに対応するＲＭＳＩがないことを識別するための情報
【０１７３】
ＮＲでは、ＳＳブロックは、ネットワークアクセスのための情報の提供のみならず、動作測定のためにも使用することができる。特に、広帯域ＣＣ動作のためには、測定のために多重ＳＳブロックを送信することができる。
【０１７４】
しかしながら、ＲＭＳＩがＳＳブロックの送信される全ての周波数位置から伝達されることは不要である。すなわち、リソース活用の効率性のために、ＲＭＳＩが特定の周波数位置によって伝達されてもよい。この場合、初期アクセス手順を行うＵＥは、検出された周波数位置でＲＭＳＩが提供されるか否かを認識することができない。この問題を解決するために、検出された周波数領域のＰＢＣＨに対応するＲＭＳＩがないことを識別するためのビットフィールドを定義する必要がある。一方では、ビットフィールドなしでＰＢＣＨに対応するＲＭＳＩがないことを識別可能な方法を考える必要もある。
【０１７５】
このために、ＲＭＳＩが存在しないＳＳブロックは、周波数ラスタ（Frequency Raster）で定義されない周波数位置から送信されるようにする。この場合、初期アクセス手順を行うＵＥは、ＳＳブロックを検出できないため、上述した問題点を解決することができる。
【０１７６】
（５）ＳＳバーストセット周期性および実際に送信されるＳＳブロック
【０１７７】
測定のためにＳＳバーストセット周期性および実際に送信されたＳＳブロックに関する情報が指示されてもよい。よって、このような情報は、セル測定およびｉｎｔｅｒ／ｉｎｔｒａセルの測定のために、システム情報に含まれることが好ましい。すなわち、ＰＢＣＨコンテンツにおいて上述した情報を定義する必要はない。
【０１７８】
（８）ペイロードサイズ
【０１７９】
ＰＢＣＨのデコーディング性能を考慮して、［表４］のように、最大５６ビットのペイロードサイズを仮定することができる。
【０１８０】
［表４］
【表４】
2021503795.tif 000006
【０１８１】
６．ＮＲ−ＰＢＣＨスクランブル
【０１８２】
ＮＲ−ＰＢＣＨスクランブルシーケンスのタイプおよびシーケンス初期化について説明する。ＮＲにおいてＰＮシーケンスを使用することを考慮してもよいが、ＬＴＥシステムで定義された長さ３１のゴールドシーケンスをＮＲ−ＰＢＣＨシーケンスとして使用することに深刻な問題が発生しない以上、ＮＲ−ＰＢＣＨスクランブルシーケンスとしてゴールドシーケンスを再使用する方が好ましい。
【０１８３】
また、スクランブルシーケンスは、少なくともＣｅｌｌ−ＩＤによって初期化することができ、ＰＢＣＨ−ＤＭＲＳによって指示されたＳＳブロックインデックスの３ビットがスクランブルシーケンスの初期化に用いられることができる。また、ハーフフレーム指示子がＰＢＣＨ−ＤＭＲＳまたは他の信号によって表される場合、ハーフフレーム指示子もスクランブルシーケンスの初期化のためのシード値として使用できる。
【０１８４】
７．ＮＲ−ＰＢＣＨ  ＤＭ−ＲＳ設計
【０１８５】
ＮＲ−ＰＢＣＨ  ＤＭＲＳは、１００８個のセルＩＤおよび３ビットのＳＳブロックインデックスによってスクランブルされる必要がある。これは、ＤＭＲＳシーケンスの仮説数（number of hypotheses）によって検出性能を比較した場合、３ビットの検出性能がＤＭＲＳシーケンスの仮説数に最も適するためである。しかしながら、４〜５ビットの検出性能も性能の損失がほとんどないため、４〜５ビットの仮説数を用いても関係ない。
【０１８６】
一方、ＤＭＲＳシーケンスによってＳＳブロック時間インデックスおよび５ｍｓ境界を表現できる必要があるため、合計１６個の仮説を有するように設計される。
【０１８７】
すなわち、ＤＭＲＳシーケンスは、少なくとも、セルＩＤ、ＳＳバーストセット内のＳＳブロックのインデックスおよびハーフフレーム境界（ハーフフレーム指示子）を表現でき、セルＩＤ、ＳＳバーストセット内のＳＳブロックインデックスおよびハーフフレーム境界（ハーフフレーム指示子）により初期化されることができる。具体的な初期化の式は、以下の［数式１］の通りである。
【０１８８】
［数式１］
【数１】
2021503795.tif 000007
【０１８９】
ここで、
2021503795.tif 000008
は、ＳＳブロックグループ内のＳＳブロックインデックスであり、
2021503795.tif 000009
は、セルＩＤであり、ＨＦは、｛０、１｝の値を有するハーフフレーム指示子のインデックスである。
【０１９０】
ＮＲ−ＰＢＣＨ  ＤＭＲＳシーケンスは、ＬＴＥ  ＤＭＲＳシーケンスと同様に、長さ３１のゴールドシーケンスを用いるか、長さ７または８のゴールドシーケンスに基づいて生成されてもよい。
【０１９１】
一方、長さ３１のゴールドシーケンスと長さ７または８のゴールドシーケンスとを用いる場合の検出性能が類似するため、本発明では、ＬＴＥ  ＤＭＲＳのように、長さ３１のゴールドシーケンスを使用することを提案するが、６ＧＨｚ以上の周波数範囲では３１より長いゴールドシーケンスを考慮してもよい。
【０１９２】
ＱＰＳＫを用いて変調されたＤＭＲＳシーケンス
2021503795.tif 000010
は、以下の［数式２］のように定義されることができる。
【０１９３】
［数式２］
【数２】
2021503795.tif 000011
【０１９４】
また、ＤＭＲＳシーケンス生成のための変調タイプとしてＢＰＳＫおよびＱＰＳＫが考えられる。ＢＰＳＫとＱＰＳＫとの検出性能は類似するが、ＱＰＳＫの相関（コーリレイション）（correlation）性能がＢＰＳＫより優れているので、ＱＰＳＫがＤＭＲＳシーケンス生成の変調タイプとしてより適合する。
【０１９５】
以下、ＰＢＣＨ  ＤＭＲＳシーケンスを構成する方法についてより詳しく説明する。ＰＢＣＨ  ＤＭＲＳシーケンスとしてはゴールドシーケンスが使用され、２個のＭ−ｓｅｑｕｅｎｃｅは同じ長さを構成する多項式で構成されるが、シーケンスの長さが短い場合、１つのＭ−ｓｅｑｕｅｎｃｅは、短い長さの多項式に振り替えることができる。
【０１９６】
８．時間インデックス指示方法
【０１９７】
図１６を参照すると、時間情報は、ＳＦＮ（System Frame Number）、ハーフフレーム間隔、ＳＳブロック時間インデックスを含む。各時間情報は、ＳＦＮのための１０ビット、ハーフフレームのための１ビット、ＳＳブロック時間インデックスのための６ビットで示すことができる。このとき、ＳＦＮのための１０ビットは、ＰＢＣＨコンテンツに含まれる。また、ハーフフレームのための１ビットは、ＰＢＣＨコンテンツに含まれ、Ｌ＝４である周波数帯域では、ＮＲ−ＰＢＣＨ  ＤＭＲＳに含まれる。ＮＲ−ＰＢＣＨ  ＤＭＲＳは、ＳＳブロックインデックスのための６ビットのうち、下位３ビットを含む。ＳＳブロックインデックスの残りの上位３ビットは、ＰＢＣＨコンテンツに含まれる。
【０１９８】
隣接セル（neighbour cell）のＳＳブロック時間インデックスを得る方法について考えることができるが、ＤＭＲＳシーケンスによる復号がＰＢＣＨコンテンツによる復号より良好な性能を発揮するので、各５ｍｓ期間内でＤＭＲＳシーケンスを変更することにより、ＳＳブロックインデックスの３ビットを送信することができる。
【０１９９】
一方、６ＧＨｚ以下の周波数範囲では、ＳＳブロック時間インデックスは、ただ隣接セルのＮＲ−ＰＢＣＨ  ＤＭＲＳのみを用いて送信することができるが、６ＧＨｚ以上の周波数範囲では、６４個のＳＳブロックインデックスをＰＢＣＨ−ＤＭＲＳおよびＰＢＣＨコンテンツにより区分して指示するので、ＵＥは、隣接セルのＰＢＣＨを復号する必要がある。
【０２００】
しかしながら、ＰＢＣＨ−ＤＭＲＳおよびＰＢＣＨコンテンツを共に復号することは、ＮＲ−ＰＢＣＨ復号の更なる複雑さをもたらすることができ、ＰＢＣＨ−ＤＭＲＳのみを使用するよりＰＢＣＨの復号性能を減少させることができる。したがって、隣接セルのＳＳブロックを受信するために、ＰＢＣＨを復号することは難しい。
【０２０１】
したがって、隣接セルのＰＢＣＨを復号する代わりに、隣接セルのＳＳブロックインデックスに関連する設定をサービングセルがＵＥに提供することが考えられる。例えば、サービングセルは、ターゲット隣接セルのＳＳブロックインデックスの最上位３ビットに関する設定をＵＥに提供し、ＵＥは、ターゲット隣接セルのＰＢＣＨ−ＤＭＲＳにより最下位３ビットを検出する。また、上述した最上位３ビットと最下位３ビットとを組み合わせて、ターゲット隣接セルのＳＳブロックインデックスを得ることができる。
【０２０２】
上述した内容を補充すると、サービングセルから受信したＳＳＢのＰＢＣＨコンテンツによりサービングセルが送信したＳＳＢのＳＳブロックインデックスの最上位３ビットを得、ＰＢＣＨ−ＤＭＲＳによりサービングセルが送信したＳＳＢのＳＳブロックインデックスの最下位３ビットを検出する。また、ＵＥは、隣接セルから更なるＳＳＢを受信した後、他のＳＳＢに含まれるＰＢＣＨ−ＤＭＲＳにより他のＳＳＢのＳＳブロックインデックスの最下位３ビットを検出し、サービングセルが送信したＳＳＢのＰＢＣＨコンテンツから得たＳＳブロックインデックスの最上位３ビットを隣接セルにも共通に適用して、隣接セルのＳＳブロックインデックスを得ることができる。
【０２０３】
９．測定結果評価
【０２０４】
ここで、ペイロードサイズ、送信方式およびＤＭＲＳによる性能測定結果を説明する。このとき、ＮＲ−ＰＢＣＨ送信のために２４個のＲＢを有する２個のＯＦＤＭシンボルが用いられると仮定する。また、ＳＳバーストセット（すなわち、１０、２０、４０、８０ｍｓ）は、複数の周期を有することができ、インコードされたビットが８０ｍｓ内に送信されると仮定する。
【０２０５】
（１）ＤＭＲＳシーケンス仮説の数
【０２０６】
図１７は、ＳＳブロックインデックスによる測定結果を示す。ここで、２４（個の）ＲＢおよび２個のＯＦＤＭシンボルにおいてＤＭＲＳのために１４４（個の）ＲＥが用いられ、情報のために４３２（個の）ＲＥが用いられた。また、ＤＭＲＳシーケンスは、長いシーケンス（例えば、長さ３１のゴールドシーケンス）およびＱＰＳＫが用いられたと仮定する。
【０２０７】
図１７を参照すると、３〜５ビットの検出性能を２回蓄積して測定するとき、−６ｄＢで１％のエラーレートを示す。よって、３〜５ビットの情報は、検出性能の観点からＤＭＲＳシーケンスに対する仮説数として使用することができる。
【０２０８】
（２）変調タイプ
【０２０９】
図１８および図１９は、ＢＰＳＫとＱＰＳＫとを比較した性能測定結果である。本実験において、ＤＭＲＳ仮説は３ビットであり、ＤＭＲＳシーケンスは長いシーケンスをベースとし、干渉ＴＲＰの電力レベルはサービングＴＲＰの電力レベルと同一である。
【０２１０】
図１８および図１９を参照すると、ＢＰＳＫとＱＰＳＫとの性能が類似していることが分かる。よって、ある変調タイプをＤＭＲＳシーケンスのための変調タイプとして使用しても、性能測定の観点からは大した差がない。しかしながら、図２５および図２６を参照すると、ＢＰＳＫおよびＱＰＳＫを使用した場合、各コリレーション特性が異なることが分かる。
【０２１１】
図２０および図２１を参照すると、ＢＰＳＫは、ＱＰＳＫよりコリレーション振幅が０．１以上の領域にさらに多く分布する。よって、マルチセル環境を考慮すれば、ＤＭＲＳの変調タイプとしてＱＰＳＫを使用することが好ましい。すなわち、コリレーション特性の側面からは、ＱＰＳＫがＤＭＲＳシーケンスに適宜な変調タイプである。
【０２１２】
（３）ＰＢＣＨ  ＤＭＲＳのシーケンス生成
【０２１３】
図２２および図２３は、ＤＭＲＳシーケンス生成による測定結果を示す。ＤＭＲＳシーケンスは、多項式の次数３０以上の長いシーケンスまたは多項式の次数８以下の短いシーケンスをベースとして生成することができる。また、ＤＭＲＳに対する仮説は３ビットであり、干渉ＴＲＰの電力レベルはサービングＴＲＰと同一であると仮定する。
【０２１４】
図２２および図２３を参照すると、短いシーケンスベース生成の検出性能と長いシーケンスベース生成の検出性能とが類似していることが分かる。
【０２１５】
具体的には、１番目のＭ−ｓｅｑｕｅｎｃｅに長さ７の多項式を導入して、シーケンスのコリレーション性能を高めようとしたが、既存の１番目のＭ−ｓｅｑｕｅｎｃｅである長さ３１の多項式を用いる方式とは差がない。また、１番目のＭ−ｓｅｑｕｅｎｃｅの初期値をＳＳＢＩＤとしてシーケンスを生成したが、既存の１番目のＭ−ｓｅｑｕｅｎｃｅの初期値を固定して、２番目のＭ−ｓｅｑｕｅｎｃｅにＳＳＢＩＤ−ＣｅｌｌＩＤを用いる方式とは差がない。
【０２１６】
よって、ＬＴＥのように、Ｌｅｎｇｔｈ−３１  Ｇｏｌｄ  ｓｅｑｕｅｎｃｅを用いて、初期化は、既存のように、１番目のＭ−ｓｅｑｕｅｎｃｅの初期値を固定して、２番目のＭ−ｓｅｑｕｅｎｃｅにＳＳＢＩＤ−ＣｅｌｌＩＤを用いる。
【０２１７】
（４）ＤＭＲＳ  ＲＥマッピング
【０２１８】
図２４は、等間隔ＲＥマッピング方法および等間隔ではないＲＥマッピング方法による性能測定の結果を示す。ここで、ＤＭＲＳに対する仮説は３ビットであり、ＤＭＲＳシーケンスは長いシーケンスをベースとし、干渉ＴＲＰ電力レベルはサービングＴＲＰと同一である。また、ただ１つの干渉源のみが存在する。
【０２１９】
図２４に示されたように、可変ＲＥマッピングを使用する場合、干渉がランダムに分散する効果が得られる。よって、可変ＲＥマッピングの検出性能が、固定ＲＥマッピング性能よりも優秀である。
【０２２０】
図２５は、ＲＳパワーブースティング（電力ブースト）を使用した場合の測定結果を示す。ここで、ＤＭＲＳに対するＲＥ送信電力は、ＰＢＣＨデータに対するＲＥ送信電力より約１．７６ｄＢ（＝１０＊ｌｏｇ（１．３３４／０．８８９））高いと仮定する。可変ＲＥマッピングとＤＭＲＳパワーブースティングとを共に使用する場合、他のセルの干渉が減少する。図２５に示したように、ＲＳパワーブースティングを適用した性能は、ＲＳパワーブースティングのない場合よりも２〜３ｄＢの利得を有する。
【０２２１】
一方、ＲＳパワーブースティングは、ＰＢＣＨデータに対するＲＥ送信電力を減少させる。よって、ＲＳパワーブースティングは、ＰＢＣＨ性能に影響を与えることができる。図２８および図２９は、ＲＳパワーブースティングのある場合とＲＳパワーブースティングのない場合とのＰＢＣＨ性能を測定した結果である。ここで、ＳＳバーストセットの周期は４０ｍｓと仮定して、エンコードされたビットは８０ｍｓ以内に送信されると仮定する。
【０２２２】
ＰＢＣＨデータに対するＲＥの送信電力が減少する場合、性能損失が発生する可能性がある。しかしながら、ＲＳ電力の増加によってチャネル推定性能が向上するため、復調性能を向上させることができる。よって、図２６および図２７のように、２つの場合の性能がほぼ同一である。よって、ＰＢＣＨデータに対するＲＥの送信電力損失の影響は、チャネル推定性能の利得によって補完されることができる。
【０２２３】
一方、図２８および図２９を参照して、ＲＳパワーブースティングにＶｓｈｉｆｔを適用した実験観察結果を説明する。ＤＭＲＳ  ＲＥの周波数軸位置をセルＩＤによって変更するＶｓｈｉｆｔを導入すると、マルチセル環境において送信されるＰＢＣＨ  ＤＭＲＳを２回の周期の間に受信して、２個のＰＢＣＨを結合すると、ＩＣＩランダム化によって検出性能を改善する効果が生じて、Ｖｓｈｉｆｔを適用した場合、検出性能の向上は大きい。
【０２２４】
以下の［表５］は、上述した性能測定のために用いられたパラメータの仮定値である。
【０２２５】
［表５］
【表５】
2021503795.tif 000012
【０２２６】
１０．ハーフフレームインデックス指示および信号設計
【０２２７】
一方、上述したような時間インデックス指示方法以外に、他の時間インデックス指示方法なども考えられるが、以下では、特にハーフフレームインデックスを効果的に指示するための様々な実施例について説明する。
【０２２８】
５ｍｓ区間（duration）に含まれるＳＳブロックは、５ｍｓ、１０ｍｓ、２０ｍ、４０ｍ、８０ｍｓ、１６０ｍｓなどの周期を有して送信される。また、初期アクセス段階のＵＥは、５ｍｓより長い周期（例えば、１０ｍｓ，２０ｍｓなど）でＳＳブロックが送信されると仮定して信号検出を行う。特に、ＮＲシステムにおいて初期アクセス段階のＵＥは、ＳＳブロックが２０ｍｓ周期で送信されると仮定して信号検出を行う。
【０２２９】
ところが、基地局が５ｍｓ周期でＳＳブロックを送信し、ＵＥが２０ｍｓ周期でＳＳブロックを検出すると、ＵＥは、ＳＳブロックが前半部のハーフフレーム（first half radio frame）で送信されることもでき、後半部のハーフフレーム（second half radio frame）で送信されることもできることを考慮する必要がある。すなわち、ＵＥは、ＳＳブロックが前半部のハーフフレームで受信されるか、または後半部のハーフフレームで受信されるかに関して正確に仮定することができない。したがって、基地局は、ＳＳブロックが前半部のハーフフレームで送信されるか、または後半部のハーフフレームで送信されるか、をＵＥに正確に伝達するための方法を以下のように考えることができる。
【０２３０】
（１）明示的な指示（Explicit Indication）
【０２３１】
−５ｍｓ周期でＰＢＣＨコンテンツを変更。この場合、ＵＥは、受信したＳＳブロックをデコードしてハーフフレーム時間情報を得ることができる。
【０２３２】
（２）暗黙的な指示（Implicit Indication）
【０２３３】
−５ｍｓ周期でＰＢＣＨ  ＤＭＲＳのシーケンスを変更
【０２３４】
ここで、上述した方法を互いに組み合わせて使用することもでき、上記方法を様々に変更することもできる。ＵＥが初期アクセス状態であるか、ＩＤＬＥモードであるかなどのＵＥの状態または隣接セル（inter-cell）／他のＲＡＴ（inter-RAT）へのハンドオーバ（Handover）などの現在ＵＥが時間情報を受信する状況によって、ハーフフレーム時間情報を伝達するための様々な方法が考えられる。
【０２３５】
このための１つの方法は、初期アクセス段階のＵＥは、１０ｍｓ時間範囲で前半部のハーフフレームまたは後半部のハーフフレームのうちの１つの固定した位置にＳＳブロックが送信されると仮定して、ＳＳブロックの信号検出を試みる。すなわち、ＵＥは、ＳＦＮ、ＳＳブロックインデックスなどの時間情報を、ＳＳブロックに含まれる信号、チャネルなどに（含まれる）シーケンス検出またはデータデコーディングなどの過程を行って得、ハーフフレーム情報は、無線フレーム内でＳＳブロックが送信されると定義されたスロット、ＯＦＤＭシンボルの位置から得る。
【０２３６】
上述した方法の具体的な例として、以下では、上述した時間情報を得る方式として、５ｍｓ周期でＳＳブロックが送信されるとき、初期アクセスを行うＵＥが特定のハーフフレームで送信されるＳＳブロックのみを検出し、他のハーフフレームで送信されるＳＳブロックを検出できないようにする方法および端末動作について説明する。
【０２３７】
このために、２つの異なる形態のＳＳブロックを構成する。本発明では、説明の便宜のために、２つの異なる形態のＳＳブロックを第１形態のＳＳブロックおよび第２形態のＳＳブロックとする。ネットワークは、第１形態のＳＳブロックを構成し、第１形態のＳＳブロックを構成するＰＳＳ／ＳＳＳ／ＰＢＣＨなどの位相、シンボル位置、シーケンスタイプ（類型）、シンボルマッピング規則（symbol mapping rule）および送信電力などを変形した形態の第２形態のＳＳブロックを構成する。
【０２３８】
その後、基地局は、前半部のハーフフレームでは第１形態のＳＳブロックを送信し、後半部のハーフフレームでは第２形態のＳＳブロックを送信する。
【０２３９】
このとき、初期アクセスを行うＵＥは、第１形態のＳＳブロックが基地局から送信されたと仮定して、同期信号検出およびＰＢＣＨデコーディングを試みる。また、同期信号検出およびＰＢＣＨデコーディングに成功した場合は、ＵＥは、該当ポイントを前半部のハーフフレームに属するスロットおよびＯＦＤＭシンボルであると仮定する。
【０２４０】
以下、本発明の実施例による参照信号により隣接セルのタイミング情報を得る方法について説明する。
【０２４１】
１０．ＳＳ／ＰＢＣＨブロック
【０２４２】
（１）６ＧＨｚ以上の帯域で実際に送信されるＳＳ／ＰＢＣＨブロックに関する情報を圧縮した形態で指示
【０２４３】
６ＧＨｚ以上の帯域において、ネットワークは、ＲＭＳＩ（Remaining Minimum System Information）により、Ｇｒｏｕｐ−Ｂｉｔｍａｐ（８ビット）＋Ｂｉｔｍａｐ  ｉｎ  Ｇｒｏｕｐ（８ビット）である合計１６ビットを用いて、実際に送信されるＳＳ／ＰＢＣＨブロックに関する情報を端末に伝達する。これは、シグナリングオーバーヘッドと柔軟性（flexibility）との均衡を考慮した設計である。合計１６ビットよりも小さいビット数を用いて実際に送信されるＳＳ／ＰＢＣＨブロックを送信する他の案もあるが、他の案は、実際に送信されるＳＳ／ＰＢＣＨブロックに関する情報を表すにおいて、柔軟性が足りない。すなわち、ネットワークは、ＵＥの状態および配置（deployment）シナリオによって実際に送信されるＳＳ／ＰＢＣＨブロック情報を送信するためのリソースをできる限り柔軟に割り当てる必要があるが、グループ内のビットマップを有するグループビットマップ方式では、他の案よりも小さいビットサイズを用いて柔軟性を提供するので、実際に送信されるＳＳ／ＰＢＣＨブロックに関する情報を送信する方法として最も適切である。
【０２４４】
ここで、ＲＭＳＩは、ＵＥがＰＢＣＨに含まれるＭＩＢを復号して、それに基づいて得るシステム情報であり、ＳＩＢ１（System Information Block 1）とも呼ばれる。
【０２４５】
（２）ＳＳ／ＰＢＣＨブロックの設計
【０２４６】
ＳＳエントリの数が少ない利点を有するために、２０（個の）ＲＢの帯域幅でＳＳ／ＰＢＣＨブロックを設計することができる。また、データとＤＭＲＳとに対して同様に周波数時間の順にマッピングするマッピング規則を適用することができる。図３０は、ＳＳ／ＰＢＣＨブロックの設計を示す。
【０２４７】
図３０を参照すると、３番目のＯＦＤＭシンボルでＳＳＳがマッピングされない残りのＰＲＢは、ＰＢＣＨ送信に使用されるので、ＳＳＳ送信のためのパワーブースティングが適用されない。したがって、ＳＳＳ  ＲＥとＰＢＣＨ  ＤＭ−ＲＳ  ＲＥとの間のＥＰＲＥオフセットは、０ｄＢに決定される。よって、Ｃｅｌｌ−ＩＤを一度に検出することを保証することができない。Ｃｅｌｌ−ＩＤの検出性能が保証されると、ＳＳＳ  ＲＥとＰＢＣＨ  ＤＭ−ＲＳ  ＲＥとの間に０ｄＢのＥＰＲＥオフセットを適用することができる。
【０２４８】
一方、図３０によるＰＢＣＨにおいて、ＰＢＣＨ送信のためのＲＥの数は、ＰＲＢ帯域幅が２４個であるＳＳ／ＰＢＣＨブロック設計と同様に５７６個である。ＰＢＣＨのＤＭＲＳ密度およびＤＭＲＳマッピングが元来ＳＳ／ＰＢＣＨ設計と同一であるという仮定の下で、図９によるＰＢＣＨの復号性能は、ＰＲＢ帯域幅が２４個であるＳＳ／ＰＢＣＨブロック設計と同一であると予想されたが、３番目のＯＦＤＭシンボルでＰＢＣＨ  ＤＭＲＳを使用すると、チャネル推定の性能を維持することができないので、図３０によるＳＳ／ＰＢＣＨブロック設計では、２４個のＰＲＢ帯域幅であるＳＳ／ＰＢＣＨブロックと同じ復号性能を期待することができない。したがって、ＰＢＣＨ復号性能の向上のために、以下のようなＰＢＣＨ  ＤＭＲＳマッピング方法を考えることができる。
【０２４９】
−ＤＭＲＳ密度：シンボルごとにＲＢ当たり４（個の）ＲＥ
【０２５０】
−ＤＭＲＳマッピング
【０２５１】
−ＳＳ／ＰＢＣＨブロックの２番目および４番目のシンボルに対する等密度（Equal density）マッピング
【０２５２】
−ＳＳ／ＰＢＣＨブロックの３番目のシンボルに対するＤＭＲＳマッピングは無い
【０２５３】
上述した案は、図３０によるＳＳ／ＰＢＣＨブロックより良好なチャネル推定性能およびＰＢＣＨ復号性能を提供する。
【０２５４】
（３）評価結果
【０２５５】
図３１乃至図３３を参照して、上述した案のＰＢＣＨ復号性能を比較する。上述したＰＢＣＨ復号性能評価において、ＳＳバーストセットのデフォルト周期性（すなわち、２０ｍｓ）が使用され、符号化されたビットが８０ｍｓ内で送信されると仮定する。シミュレーションに対する詳しい仮定は、以下の［表６］の通りである。
【０２５６】
［表６］
【表６】
2021503795.tif 000013
【０２５７】
ＳＳ／ＰＢＣＨブロック設計の詳しい事項は、以下の通りである。
【０２５８】
１）第１案（図３１（ａ））：ＮＲ−ＰＢＣＨ送信のために２４（個の）ＲＢを使用する２つのＯＦＤＭシンボルが使用される。すなわち、２４（個の）ＲＢを使用するＳＳ／ＰＢＣＨブロックの２番目および４番目のＯＦＤＭシンボルでＮＲ−ＰＢＣＨを送信（合計４８（個の）ＲＢ）
【０２５９】
−ＤＭＲＳ密度：シンボルごとにＲＢ当たり３（個の）ＲＥ
【０２６０】
−ＤＭＲＳマッピング：ＳＳ／ＰＢＣＨブロックの２番目および４番目のＯＦＤＭシンボルに対する等密度マッピング
【０２６１】
−ＤＭＲＳのＲＥ数：１４４
【０２６２】
２）第２案（図３１（ｂ））：２０個のＲＢを有する２つのシンボルである、ＳＳ／ＰＢＣＨブロックの２番目および４番目のＯＦＤＭシンボルと、８個のＲＢを有する１つのＯＦＤＭシンボルである、ＳＳ／ＰＢＣＨブロックの３番目のＯＦＤＭシンボルと、によりＮＲ−ＰＢＣＨを送信（合計４８（個の）ＲＢ）
【０２６３】
−ＤＭＲＳ密度：シンボルごとにＲＢ当たり３（個の）ＲＥ
【０２６４】
−ＤＭＲＳマッピング：ＳＳ／ＰＢＣＨブロックの（第）２、３、４ＯＦＤＭシンボルに対する等密度マッピング
【０２６５】
−ＤＭＲＳのＲＥ数：１４４
【０２６６】
３）第３案（図３１（ｃ））：２０個のＲＢを有する２つのシンボルである、ＳＳ／ＰＢＣＨブロックの２番目および４番目のＯＦＤＭシンボルと、８個のＲＢを有する１つのＯＦＤＭシンボルである、ＳＳ／ＰＢＣＨブロックの３番目のＯＦＤＭシンボルと、によりＮＲ−ＰＢＣＨを送信（合計４８（個の）ＲＢ）
【０２６７】
−ＤＭＲＳ密度：シンボルごとにＲＢ当たり４（個の）ＲＥ
【０２６８】
−ＤＭＲＳマッピング：ＳＳ／ＰＢＣＨブロックの２番目および４番目のシンボルに対する等密度マッピング（ＳＳ／ＰＢＣＨブロックの３番目のシンボルに対するＤＭＲＳマッピングは無い）
【０２６９】
−ＤＭＲＳに対するＲＥ数：１６０
【０２７０】
図３２乃至図３３を参照すると、第２案は、第１案または第３案より悪い性能を提供することが分かる。かかる復号性能の損失は、３番目のシンボルのＤＭＲＳのチャネル推定性能が落ちるためである。一方、提案した３つの方法のうち、第３案が最も好ましいＤＭＲＳ復号性能を示す。かかる性能向上は、第３案のＤＭＲＳ配置では、第１案および第２案のＤＭＲＳ配置よりさらに正確なチャネル情報が得られるためである。
【０２７１】
１１．タイミング情報指示（Timing Information Indication）
【０２７２】
（１）ハーフフレーム指示
【０２７３】
１ビットのハーフフレーム指示子は、ＰＢＣＨペイロードに含まれ、測定のためのＣＳＩ−ＲＳの周期が２０ｍｓ以上である場合、ＵＥは、ネットワークがＣＳＩ−ＲＳ測定のための"同期式（Synchronous）"であると仮定する。なお、３ＧＨｚ以下の帯域では、最大ビーム数が４つであるので、ハーフフレーム指示子がＰＢＣＨ  ＤＭＲＳにより暗示的（implicitly）にシグナリングされる。
【０２７４】
さらに、ＰＢＣＨの復号なしで３−６ＧＨｚ帯域におけるフレームの境界を確認する方法が必要である。３−６ＧＨｚ帯域における周波数間（イントラ周波数）測定のために、隣接セルのフレーム境界指示のために以下のような状況を考えることができる。
【０２７５】
１）ネットワークが２０ｍｓ以上の周期を有するＣＳＩ−ＲＳを設定する場合、サービングセルは、同期指示子を"同期式"に設定し、ＵＥは、ネットワークが同期式であると仮定することができる。
【０２７６】
２）ネットワークが１０ｍｓの周期性を有するＣＳＩ−ＲＳを設定する場合は、サービングセルは、ＵＥに"ＣＳＩ−ＲＳ−Ｃｏｎｆｉｇ−Ｍｏｂｉｌｉｔｙ"の情報を提供し、ＵＥは、１つの候補ＣＳＩ−ＲＳスクランブルシーケンスの開始位置が奇数番目の５ｍｓであるかまたは偶数番目の５ｍｓであるかをＰＢＣＨ  ＤＭＲＳシーケンスによるＳＳ／ＰＢＣＨブロックインデックスを得た後に、ＣＩＳ−ＲＳに対する（相互）相関を行うことにより得ることができる。
【０２７７】
３）ネットワークが５ｍｓの周期性を有するＣＳＩ−ＲＳを設定する場合は、サービングセルは、ＵＥに"ＣＳＩ−ＲＳ−Ｃｏｎｆｉｇ−Ｍｏｂｉｌｉｔｙ"の情報を提供し、ＵＥは、２つの候補ＣＳＩ−ＲＳスクランブルシーケンスの開始位置が奇数番目の５ｍｓであるかまたは偶数番目の５ｍｓであるかをＰＢＣＨ  ＤＭＲＳシーケンスによるＳＳ／ＰＢＣＨブロックインデックスを得た後に、ＣＩＳ−ＲＳに対する相関を行うことにより得ることができる。
【０２７８】
４）ＣＳＩ−ＲＳのスクランブルのシーケンス周期は、５ｍｓと定義される。
【０２７９】
５）ネットワークがＣＳＩ−ＲＳを設定しない場合、ＵＥは、ＰＢＣＨ  ＤＭＲＳシーケンスによりＳＳＢインデックスを得ても、偶数番目の５ｍｓと奇数番目の５ｍｓとを区分することができない。
【０２８０】
４）および５）で発生し得る問題点を解決するために、ネットワークは、常に"１０ｍｓの周期を有するＣＳＩ−ＲＳ"または"１０ｍｓのスクランブルのシーケンス周期を有する５ｍｓのＣＳＩ−ＲＳ周期"を設定する必要がある。サービングセルは、ネットワークが非同期式である場合、"ＣＳＩ−ＲＳ−Ｃｏｎｆｉｇ−Ｍｏｂｉｌｉｔｙ"の情報をＵＥに提供する。
【０２８１】
ネットワークが同期式である場合、サービングセルは、同期指示子を"同期式"に設定しなければならない。すなわち、ＣＳＩ−ＲＳが設定されないか、またはＣＳＩ−ＲＳ周期が５ｍｓ以下であって、ＣＳＩ−ＲＳのスクランブルのシーケンス周期が５ｍｓ以下であるか、またはＣＳＩ−ＲＳ周期が２０ｍｓ、４０ｍｓ、８０ｍｓ、１６０ｍｓ、３２０ｍｓである場合は、ネットワークが同期式で動作する必要があり、サービングセルは、同期指示子を"同期式"に設定する。
【０２８２】
以下、上述した実施例についてより具体的な実施例を説明する。
【０２８３】
ＮＲシステムにおいて、タイミング情報（すなわち、ＳＦＮ、ハーフフレーム、ＳＳ／ＰＢＣＨブロックインデックス）は、ＰＢＣＨコンテンツによって定義される。したがって、ＵＥは、ＰＢＣＨ復号によりタイミング情報を得ることができる。フレーム構造および信号、すなわち、スロット番号、スクランブルシーケンス、ＤＭＲＳシーケンス、ＣＳＩ−ＲＳシーケンス、ＰＲＡＣＨ設定などは、１０ｍｓ以内に定義されるので、ＵＥは、フレーム境界情報を得る必要がある。
【０２８４】
したがって、ＲＲＭ／ハンドオーバの場合、ＵＥは、隣接セルに関するハーフフレーム情報および／またはＳＳ／ＰＢＣＨブロックインデックスを得るためにＰＢＣＨ復号を行う必要がある。しかしながら、ＲＲＭ／ハンドオーバの場合、ＵＥが隣接セルに対するＰＢＣＨ復号を動作することは好ましくない。
【０２８５】
これにより、ビーム数が最大４個である周波数帯域では、ハーフフレーム指示子ＰＢＣＨ  ＤＭＲＳの一部として暗示的にシグナリングされる。すなわち、３ＧＨｚ以下の周波数帯域では、隣接セルのＰＢＣＨ  ＤＭＲＳシーケンスを検出してハーフフレーム情報を得ることができる。また、６ＧＨｚ以下の場合には、ＳＳ／ＰＢＣＨブロックのインデックスがＰＢＣＨ  ＤＭＲＳにより暗示的にシグナリングされる。
【０２８６】
ＦＲ１帯域において、ＵＥは、ＰＢＣＨ  ＤＭＲＳシーケンスの検出によりＳＳ／ＰＢＣＨブロックのインデックスを得ることができる。しかしながら、より高い周波数範囲、すなわち、ＦＲ２帯域では、相変わらず隣接セルの時間情報を得るためにＰＢＣＨを復号しなければならない。例えば、３ＧＨｚ以上の周波数範囲において、ＵＥは、ＰＢＣＨペイロードでハーフフレーム指示子を得るために、ＰＢＣＨを復号しなければならない。また、ＦＲ２において、ＵＥは、最上位３ビットのＳＳ／ＰＢＣＨインデックスを得るために、ＰＢＣＨ復号を行う必要がある。
【０２８７】
したがって、上述したＦＲ２における問題を解決するために、サービングセルとターゲットセルとの間の時間同期精度（正確度）に対する仮説を立てる必要がある。
【０２８８】
例えば、ＰＲＡＣＨ設定のために、ＦＤＤ（Paired Spectrum）の場合、セルの間のフレーム境界の許容誤差（tolerance）が＋／−５ｍｓであると仮定する。また、ＲＲＭ測定の場合は、ＴＤＤ（Unpaired Spectrum）および同一の周波数レイヤでｕｓｅＳｅｒｖｉｎｇＣｅｌｌＴｉｍｉｎｇＦｏｒＳｙｎｃパラメータが'ｔｒｕｅ'に設定された場合、フレーム境界整列の許容誤差を、最小２（個の）ＳＳＢシンボル、１（個の）データシンボルに仮定する。
【０２８９】
ただし、ＦＤＤからＴＤＤ、ＴＤＤからＦＤＤおよびＴＤＤからＴＤＤ（Ｉｎｔｅｒ−Ｆｒｅｑｕｅｃｎｙの場合）にセル変更が行われるときは、セル間のフレーム境界の許容誤差に対する仮定をさらに考慮する必要がある。
【０２９０】
さらに、非同期ネットワークであり得るＦＤＤについては、ＦＤＤからＴＤＤ、ＴＤＤからＦＤＤへの許容誤差が＋／−５ｍｓであると仮定することが適切である。ＬＴＥの場合と同様に、ＴＤＤからＴＤＤへの許容誤差は＋／−２．５ｍｓであると仮定することができる。
【０２９１】
［表７］は、ハンドオーバ／ＲＲＭシナリオに従って隣接セル（neighbour cell）の時間情報を得るための方法を要約したものである。
【０２９２】
［表７］
【表７】
2021503795.tif 000014
【０２９３】
上述した仮定に基づいて、以下、隣接セルのタイミング情報を得る方法について説明する。
【０２９４】
ＮＲでは、参照信号（Reference Signal；ＲＳ）のシーケンスは、ＯＦＤＭシンボルおよびスロット位置を識別するように設計されるので、ＲＳのシーケンスは、シンボル位置およびスロット位置を検出するために使用できる。
【０２９５】
したがって、上記問題を解決するために、実際に送信されたＳＳ／ＰＢＣＨブロック（Actual Transmitted SSB；ＡＴＳＳ）の周りにＣＳＩ−ＲＳリソースを割り当てることが考えられる。すなわち、ＣＳＩ−ＲＳリソースは、ＡＴＳＳがマッピングされた領域から一定範囲内の領域に割り当てられる。ＣＳＩ−ＲＳのためのシーケンスは、フレーム内でセルＩＤ、ＯＦＤＭシンボル番号およびスロット番号により初期化されるので、ＣＳＩ−ＲＳシーケンスを検出することにより時間位置（すなわち、ＯＦＤＭシンボルおよびスロット番号）を得ることができる。
【０２９６】
例えば、ｇＮＢがＳＳ／ＰＢＣＨブロックの周りに位置するＣＳＩ−ＲＳリソースを設定すると、ＵＥは、フレーム内の候補位置に設定されたＣＳＩ−ＲＳシーケンスの相関特性を用いてフレーム境界を検出することができる。
【０２９７】
すなわち、ＦＲ１において、ＵＥは、検出されたＳＳ／ＰＢＣＨブロックがフレーム内に位置可能な２つの仮説を立てることができる。
【０２９８】
６ＧＨｚ以上の場合、すなわち、ＦＲ２では、ＳＳ／ＰＢＣＨブロックがフレーム内に位置可能なＯＦＤＭシンボルおよびスロット位置を考慮して、最大１６通りの仮説を立てることができる。
【０２９９】
すなわち、ｇＮＢは、ＵＥに隣接セルの参照信号情報を提供する。ここで、参照信号の生成に使用されるシーケンスとしては、ゴールドシーケンス、ＭシーケンスなどのＰＮシーケンスが使用され、ＰＮシーケンスは、ＯＦＤＭシンボル、スロット番号およびセルＩＤに基づいて生成される。生成されたシーケンスは、ＱＰＳＫ変調され、変調されたシーケンスは、参照信号のために割り当てられた周波数／時間に該当する副搬送波位置にマッピングされて送信される。また、隣接セルｇＮＢは、ＵＥに提供された参照信号情報、すなわち、参照信号のシーケンスにより伝達される情報に基づいて信号を生成して送信する。
【０３００】
ＵＥは、サービングセルから提供された隣接セルの参照信号情報から隣接ｇＮＢが送信可能な候補参照信号情報を類推する。ＵＥは、隣接セルの信号を受信し、参照信号が送信可能な候補位置で参照信号を検出する。その後、検出した信号とＵＥが類推した候補参照信号情報とを比較して、該当位置で検出した信号と最も類似する候補参照信号を選択する。また、選択した参照信号に含まれる情報から、検出信号を受信した時点に関するタイミング情報を得る。すなわち、参照信号に含まれる情報には、参照信号が送信されるＯＦＤＭシンボル位置およびスロットの位置が含まれる。
【０３０１】
参照信号に含まれる情報には、ＳＳ／ＰＢＣＨブロックインデックスのうちの一部のビットに関する情報が含まれるが、このビットは、ＰＢＣＨペイロードに伝達されるＳＳ／ＰＢＣＨブロックインデックスであることができる。また、参照信号に含まれる情報には、ハーフフレームに関する情報が含まれることもできる。
【０３０２】
１）ハンドオーバ命令（Command）の受信後、隣接セルのタイミング情報を得る方法
【０３０３】
ハンドオーバの場合、タイミング情報を得るために、ＣＳＩ−ＲＳシーケンスを検出する。特にビーム管理（Management）および追跡（Tracking）のためのＣＳＩ−ＲＳはＵＥのための必須機能であるので、ＵＥは、ハンドオーバ命令メッセージにおいてＣＳＩ−ＭｅａｓＣｏｎｆｉｇ  ＩＥ（Information Element）により常にＣＳＩ−ＲＳが設定されることを期待する。
【０３０４】
すなわち、ＵＥがハンドオーバ命令を受信した後、ＣＳＩ−ＲＳシーケンスを使用してタイミング情報を得るために、シーケンス検出動作を行うことができる。ＣＳＩ−ＲＳシーケンス検出は、ＰＢＣＨ復号に比べて迅速にタイミング情報を得ることができる。
【０３０５】
したがって、ハンドオーバのために、ＵＥは、上位層パラメータであるＣＳＩ−ＭｅａｓＣｏｎｆｉｇを構成するＮＺＰ−ＣＳＩ−ＲＳ−ＲｅｓｏｕｒｃｅＳｅｔを、ＵＥ固有の設定を、上位層により受信することができる。
【０３０６】
上述したように、ＣＳＩ−ＲＳシーケンスによりタイミング情報を得るためには、以下のような仮定を考慮する必要がある。
【０３０７】
−ビーム管理または追跡のためのＣＳＩ−ＲＳは、ＳＳ／ＰＢＣＨブロックを含むＯＦＤＭシンボルまたはその周りに割り当てられる。
【０３０８】
−ＵＥは、ＳＳ／ＰＢＣＨブロックおよびＣＳＩ−ＲＳの全てに対するＱＣＬ条件が同一であると仮定する。
【０３０９】
−ＵＥは、ＣＳＩ−ＲＳの周期がＳＳ／ＰＢＣＨブロックの周期と同一であると仮定する。
【０３１０】
すなわち、ハンドオーバを行うために、ＵＥは、上位層パラメータＣＳＩ−ＭｅａｓＣｏｎｆｉｇによりビーム管理または追跡のためのＣＳＩ−ＲＳを設定することができる。
【０３１１】
また、ＵＥは、空間（Spatial）受信パラメータの適用が可能である場合、ＣＳＩ−ＲＳとＳＳ／ＰＢＣＨブロックとが、ドップラシフト（Doppler shift）、ドップラ拡散（Spread）、平均遅延、遅延分散（拡散）に関してＱｕａｓｉ  Ｃｏ−ｌｏｃａｔｅｄ関係にあると仮定する。
【０３１２】
すなわち、ハンドオーバを行うために、ビーム数Ｌ＞４であるターゲットセルに対して、ＵＥは、ビーム管理または追跡のためのＣＳＩ−ＲＳの受信に基づいて、ＯＦＤＭシンボル番号およびスロット番号を得ることができる。
【０３１３】
２）ハンドオーバの命令の前または隣接セル測定のための隣接セルのタイミング情報を得る方法
【０３１４】
ＲＲＭにおいて、ｇＮＢは、測定のためにＣＳＩ−ＲＳリソースを設定することができる。したがって、Ｉｎｔｅｒ／Ｉｎｔｒａ周波数測定のために、ＵＥは、上位層によりＣＳＩ−ＲＳ−ＲｅｓｏｕｒｃｅＣｏｎｆｉｇＭｏｂｉｌｉｔｙ設定を受信することができる。このとき、ＣＳＩ−ＲＳ−ＲｅｓｏｕｒｃｅＣｏｎｆｉｇＭｏｂｉｌｉｔｙは、ＵＥ固有のパラメータである。
【０３１５】
タイミング情報を得るために、ＵＥは、ＣＳＩ−ＲＳシーケンス検出のための多数の仮説を仮定する。例えば、ＵＥがハーフフレーム情報のみを得ようとする場合は、ＵＥは、検出されたＳＳ／ＰＢＣＨブロックが第１ハーフフレームまたは第２ハーフフレームに位置すると仮定する。また、ＵＥがＳＳ／ＰＢＣＨインデックスおよびハーフフレーム情報を全て得ようとする場合には、ＵＥは、１６通りの仮説を立てることができる。
【０３１６】
３）参照信号に基づいてＳＳ／ＰＢＣＨブロックインデックスおよびハーフフレーム情報を得る方法
【０３１７】
上述した１）、２）とは異なる方法として、ＳＳ／ＰＢＣＨブロックインデックスのための最上位３ビットおよび／またはハーフフレーム情報を伝達するための新しいシーケンスを使用することを考えることができる。このとき、新しいシーケンスは、ＣＳＩ−ＲＳシーケンスのようにシーケンスを設計することができる。
【０３１８】
シーケンスは、上位層のＵＥ固有の設定により設定される。例えば、ＳＳ／ＰＢＣＨブロックインデックスのための最上位３ビットおよびハーフフレーム情報のために、合計１６個の異なるシーケンスが導入されることができる。合計１６個のシーケンスのうちの最初から８個のシーケンスは、前半部ハーフフレームのためのＳＳ／ＰＢＣＨブロックインデックスの最上位３ビットのために使用され、残りの８個のシーケンスは、後半部ハーフフレームのためのＳＳ／ＰＢＣＨブロックインデックスの最上位３ビットのために使用されることができる。
【０３１９】
以下、上述した実施例について、図３４乃至図３６を参照しながらＵＥおよび基地局の観点での動作について説明する。
【０３２０】
図３４は、ＵＥ動作を説明する図である。ＵＥは、ＳＳ／ＰＢＣＨブロックおよび隣接セルのタイミング情報のための参照信号を受信し、複数のセルと信号を送受信する送受信器（Transceiver）と、該送受信器に接続されてサービングセルから第１ＳＳ／ＰＢＣＨブロックを受信するように送受信器を制御し、隣接セルから第２ＳＳ／ＰＢＣＨブロックおよび参照信号を受信するように送受信器を制御するプロセッサと、を含む。
【０３２１】
このとき、プロセッサは、第１ＳＳ／ＰＢＣＨブロックに含まれるＰＢＣＨに基づいて第１ＳＳ／ＰＢＣＨブロックのタイミング情報を得、第２ＳＳ／ＰＢＣＨブロックおよび参照信号に基づいて隣接セルのための第２ＳＳ／ＰＢＣＨブロックインデックスおよび参照信号のタイミング情報を得る。
【０３２２】
このとき、第１ＳＳ／ＰＢＣＨブロックのタイミング情報は、第１ＳＳ／ＰＢＣＨブロックのインデックス情報を含む。ＰＢＣＨがマッピングされたシンボルにより送信されるＤＭＲＳ（DeModulation Reference Signal）のシーケンス、すなわち、ＰＢＣＨ−ＤＭＲＳのシーケンスは、サービングセルの識別子および第１ＳＳ／ＰＢＣＨブロックのインデックスに基づいて生成される。また、隣接セルの第２ＳＳ／ＰＢＣＨブロックのタイミング情報は、第２ＳＳ／ＰＢＣＨブロックのインデックス情報を含む。ＰＢＣＨ−ＤＭＲＳのシーケンスは、隣接セルの識別子および第２ＳＳＢのインデックスに基づいて生成される。
【０３２３】
また、隣接セルのための参照信号のタイミング情報は、第２ＳＳ／ＰＢＣＨブロックのインデックスに関連するＯＦＤＭシンボル位置およびシンボルのスロット位置情報を含む。また、隣接セルのための参照信号のタイミング情報は、第２ＳＳ／ＰＢＣＨのインデックスのうち、ＰＢＣＨペイロードに含まれるインデックスに関連するＯＦＤＭシンボル位置およびシンボルのスロット位置情報を含む。
【０３２４】
隣接セルのための参照信号のタイミング情報は、第２ＳＳ／ＰＢＣＨブロックのインデックスのうち、ＰＢＣＨペイロードに含まれるインデックスに関連するインデックス情報を含む。隣接セルのための参照信号のタイミング情報は、第２ＳＳ／ＰＢＣＨブロックのインデックスに関連するハーフフレーム情報を含む。隣接セルのための参照信号の時間情報は、ハーフフレーム情報を含む。
【０３２５】
また、隣接セルのための参照信号は、ＣＳＩ−ＲＳのシーケンス、ＤＭＲＳのためのシーケンスおよび／またはＰＮシーケンスを使用して生成される。
【０３２６】
図３４を参照して、本発明の実施例によるＵＥの動作について説明すると、ＵＥは、サービングセルから隣接セルのタイミング情報を得るための参照信号設定に関連する情報を受信し（Ｓ３４０１）、サービングセルからＳＳ／ＰＢＣＨブロックを受信し、隣接セルからＳＳ／ＰＢＣＨブロックおよび参照信号を受信する（Ｓ３４０３）。
【０３２７】
また、ＵＥは、参照信号のシーケンスに基づいて隣接セルのタイミング情報を得るが、このとき、参照信号のシーケンスから得られるタイミング情報は、隣接セルから受信したＳＳ／ＰＢＣＨブロックのインデックスに関連する情報、参照信号が受信された時点のスロット、シンボルおよびハーフフレームに関する情報を含む。
【０３２８】
なお、ＵＥが受信した参照信号のシーケンスに基づいて隣接セルのタイミング情報を得る具体的な方法、参照信号および参照信号シーケンスのタイプは、上述した実施例に従う（A detailed method in which the UE obtains the timing information of the neighbor cell based on the sequence of the received RS, the RS, and the type of the RS sequence conform to the above-described embodiments）（Ｓ３４０５）。
【０３２９】
以下、図３５を参照して、本発明の実施例による基地局の動作について説明する。ここで、基地局は、１つまたは複数のセルに代替することができ、以下の説明において、基地局は、サービングセルまたは隣接セルになることができる。
【０３３０】
すなわち、図３５の動作主体となる基地局は、１つの基地局であることもできるが、サービングセルおよび隣接セルのそれぞれに対応する互いに異なる基地局であることもできる。
【０３３１】
サービングセルに対応する基地局は、ＵＥに隣接セルのタイミング情報を得るための参照信号に関連する設定を送信する（Ｓ３５０１）。その後、隣接セルに対応する基地局は、参照信号および／またはＳＳ／ＰＢＣＨブロック送信タイミングに基づいて参照信号のシーケンスを生成する。このとき、参照信号シーケンスのシード値は、参照信号が送信されるスロット、シンボルおよびハーフフレームに関する情報、または参照信号の周り（近辺）で送信されるＳＳ／ＰＢＣＨブロックのインデックスに関する情報である（Ｓ３５０３）。
【０３３２】
一方、基地局が隣接セルのタイミング情報に基づいて参照信号のシーケンスを生成する具体的な方法、参照信号および参照信号シーケンスのタイプは、上述した実施例に従う。
【０３３３】
その後、生成された参照信号および隣接セルのＳＳ／ＰＢＣＨブロックを隣接セルに対応する基地局がＵＥに送信する（Ｓ３５０５）。
【０３３４】
上述したＵＥおよび基地局の動作を、再度、図３６に基づいて全体的に説明する。
【０３３５】
まず、サービングセルに対応する基地局は、ＵＥに隣接セルのタイミング情報を得るための参照信号に関連する設定を送信する（Ｓ３６０１）。その後、隣接セルに対応する基地局は、参照信号および／またはＳＳ／ＰＢＣＨブロック送信タイミングに基づいて参照信号のシーケンスを生成する。一方、基地局が隣接セルのタイミング情報に基づいて参照信号のシーケンスを生成する具体的な方法、参照信号および参照信号シーケンスのタイプは、上述した実施例に従う（Ｓ３６０３）。
【０３３６】
その後、生成された参照信号および隣接セルのＳＳ／ＰＢＣＨブロックを、隣接セルに対応する基地局がＵＥに送信する（Ｓ３６０５）。
【０３３７】
また、隣接セルから参照信号およびＳＳ／ＰＢＣＨブロックを受信したＵＥは、参照信号のシーケンスに基づいて隣接セルのタイミング情報を得るが、上述したように、参照信号のシーケンスから得られるタイミング情報は、隣接セルから受信したＳＳ／ＰＢＣＨブロックのインデックスに関連する情報、参照信号が受信された時点のスロット、シンボルおよびハーフフレームに関する情報を含む。
【０３３８】
一方、ＵＥが受信した参照信号のシーケンスに基づいて隣接セルのタイミング情報を得る具体的な方法、参照信号および参照信号シーケンスのタイプは、上述した実施例に従う（Ｓ３６０７）。
【０３３９】
（２）同期情報（Synchronization information）
【０３４０】
隣接セルに対するＳＳ／ＰＢＣＨ時間インデックスを得る方法について説明する。ＤＭＲＳシーケンスがＰＢＣＨコンテンツの復号より優れた性能を提供するので、各５ｍｓ周期内でＤＭＲＳシーケンスを変更して３ビットのＳＳ／ＰＢＣＨブロックインデックスを伝達する。すなわち、６ＧＨｚ以下の周波数帯域では、隣接セルに対するＳＳ／ＰＢＣＨ時間インデックスをＮＲ−ＰＢＣＨ  ＤＭＲＳから得ることができる。反面、６ＧＨｚ以上の周波数帯域では、６４個のＳＳ／ＰＢＣＨブロックインデックスがＰＢＣＨ−ＤＭＲＳとＰＢＣＨコンテンツとに分離されて表されるので、隣接セルのＳＳ／ＰＢＣＨブロックインデックスを得るために、ＵＥは、隣接セルのＰＢＣＨを復号する。しかしながら、上述した方法は、隣接セルＮＲ−ＰＢＣＨの復号による更なる複雑性をもたらす。ＰＢＣＨの復号性能がＰＢＣＨ−ＤＭＲＳを用いた復号性能より悪いので、ＵＥがＳＳ／ＰＢＣＨブロックインデックスを得るために、隣接セルのＰＢＣＨを直接復号する理由がない。
【０３４１】
したがって、隣接セルのＰＢＣＨを復号する代わりに、サービングセルが隣接セルに対するＳＳ／ＰＢＣＨブロックインデックスに対する設定を提供する方法を考えることができる。例えば、サービングセルは、ターゲット隣接セルに対するＳＳ／ＰＢＣＨブロックインデックスのＭＳＢ（Most Significant Bits）（３ビット）の設定を提供することができる。その後、ＵＥは、隣接セルのＰＢＣＨ−ＤＭＲＳにより隣接セルのＳＳ／ＰＢＣＨブロックインデックスのＬＳＢ（Least Significant Bits）３ビットを検出することができる。その後、隣接セルのＳＳ／ＰＢＣＨブロックインデックスを得るために、サービングセルのＰＢＣＨ復号により得たＭＳＢ  ３ビットと隣接セルのＰＢＣＨ−ＤＭＲＳにより得たＬＳＢ  ３ビットとを組み合わせて、ターゲット隣接セルに対するＳＳ／ＰＢＣＨブロックインデックスを得ることができる。
【０３４２】
１２．ＮＲ−ＰＢＣＨコンテンツ
【０３４３】
（１）ペイロードサイズおよびコンテンツ
【０３４４】
ＰＢＣＨのペイロードサイズは、６ＧＨｚ以下、６ＧＨｚ以上の両方とも５４ビットであり、ＰＢＣＨコンテンツは、以下の［表８］の通りである。
【０３４５】
［表８］
【表８】
2021503795.tif 000015
【０３４６】
（２）ＰＢＣＨによりＲＭＳＩが存在しないことを迅速に識別するための情報
【０３４７】
ＮＲシステムでは、ＳＳブロックが、ネットワーク接続のための情報を提供するだけではなく、動作測定のためにも使用される。特に、広帯域ＣＣ動作のためには、測定のために複数のＳＳ／ＰＢＣＨブロックを送信することができる。しかしながら、ＲＭＳＩが、ＳＳ／ＰＢＣＨブロックが送信される全ての周波数位置により伝達されると、これによりシグナリングのオーバーヘッドが増加する。したがって、リソース活用の効率性のためには、ＲＭＳＩが特定の周波数位置で伝達されるとも判断することができる。この場合、初期アクセス手順におけるＵＥは、現在ＵＥが検出した周波数位置でシステム情報が提供されるか否かを認識できないので、システム情報の獲得が曖昧になる。このような曖昧さを解決するために、ＰＢＣＨに該当するＲＭＳＩがないことを早く識別するために、そのためのビットフィールドを定義する方法を考える必要がある。また、ビットフィールドを導入する必要のない他の解決策も考慮する必要がある。一つの解決策としては、測定目的のためのＳＳ／ＰＢＣＨブロックを周波数ラスタとして定義されない周波数位置で送信する方法がある。この場合、初期アクセス手順におけるＵＥは、ＳＳ／ＰＢＣＨブロックを検出できないので、ＲＭＳＩの存在の有無に対する曖昧さを解決することができる。
【０３４８】
１３．初期活性下りリンクＢＷＰ（Initial Active DL BWP）
【０３４９】
ＵＥは、セルＩＤ検出およびＰＢＣＨ復号を含む初期同期手順の間に、ＳＳ／ＰＢＣＨブロックの帯域幅内で信号を検出する。また、ＵＥは、初期活性ＤＬ／ＵＬ帯域幅内で次の初期アクセス手順であるシステム情報を得るための過程およびＲＡＣＨプロセスを行う。
【０３５０】
初期活性ＤＬ  ＢＷＰは、ＲＭＳＩ  ＣＯＲＥＳＥＴの周波数位置、ＲＭＳＩ  ＣＯＲＥＳＥＴの帯域幅およびＲＭＳＩのニューマロロジに基づいて定義される。ＲＭＳＩ  ＣＯＲＥＳＥＴ設定およびＲＭＳＩのニューマロロジは、ＰＢＣＨペイロードで設定できる。また、ＳＳ／ＰＢＣＨブロックと初期活性ＤＬ  ＢＷＰとの間のオフセットは、ＰＢＣＨにより指示される。図３７に示したように、オフセットは、６ＧＨｚ以下および６ＧＨｚ以上の周波数範囲でＳＳ／ＰＢＣＨブロックとチャネルＲＢとの間の任意のオフセットで指示されるので、オフセット値は、６ＧＨｚ以下および６ＧＨｚ以上の周波数範囲全体に対して定義されなければならない。ＵＥは、初期活性ＤＬ  ＢＷＰおよびＣＯＲＥＳＥＴの情報を得た後、初期活性ＢＷＰおよびＣＯＲＥＳＥＴの情報に基づいてシステム情報（すなわち、ＲＭＳＩ）を得るための過程を行う。
【０３５１】
ＮＲは、ＱＣＬｅｄ  ＳＳ／ＰＢＣＨブロックおよびＲＭＳＩのＦＤＭ送信をサポートする。また、ＳＳ／ＰＢＣＨブロックおよび初期活性ＤＬ  ＢＷＰを多重化する帯域幅を明確にする必要がある。ＵＥは、ＲＭＳＩに対応するＰＤＣＣＨ  ＣＯＲＥＳＥＴをＲＭＳＩを運ぶＰＤＳＣＨのために割り当てられるリソースでは割り当てられたリソースでＳＳブロックが送信されないと仮定する（When a resource is allocated to a PDSCH on which RMSI corresponding to a PDCCH CORESET is carried, the UE assumes that an SSB is not transmitted on the allocated resource）。すなわち、図３８に示したように、３つのＯＦＤＭシンボルがＲＭＳＩ  ＣＯＲＥＳＥＴのために使用されたとき、ＳＳ／ＰＢＣＨブロックとＲＭＳＩ  ＣＯＲＥＳＥＴ／ＰＤＳＣＨとがＦＤＭされる必要がある。反面、ＲＭＳＩ  ＣＯＲＥＳＥＴに対して最大２つのＯＦＤＭシンボルが割り当てられた場合は、ＳＳ／ＰＢＣＨとＲＭＳＩ  ＣＯＲＥＳＥＴとはＴＤＭされ、ＳＳ／ＰＢＣＨとＲＭＳＩ  ＰＤＳＣＨとは初期活性ＤＬ  ＢＷＰ内でＦＤＭされる。
【０３５２】
初期アクセス手順の間、ＵＥは、測定、時間／周波数追跡、ＲＡＣＨ電力制御などのためにＳＳ／ＰＢＣＨブロックを周期的に受信する。しかしながら、ＳＳ／ＰＢＣＨブロックがＵＥ最小ＢＷの外部に位置すると、広帯域動作能力のない一部のＵＥは、周期的にＳＳ／ＰＢＣＨブロックを受信するために周波数再設定（retuning）が必要である。かかる周波数再設定は、ＵＥ動作の観点では、ＲＦ再組み合わせによる初期アクセス手順の待機時間を増加させることができる。したがって、ＮＲでは、ＳＳ／ＰＢＣＨブロックとＲＭＳＩ  ＣＯＲＥＳＥＴとがＦＤＭされても、ＳＳ／ＰＢＣＨブロックおよびＲＭＳＩ  ＣＯＲＥＳＥＴがＵＥ最小ＲＸ帯域幅内に制限され、ＦＤＭされることもできる。
【０３５３】
１４．ＲＭＳＩ  ＣＯＲＥＳＥＴ設定
【０３５４】
（１）ＲＭＳＩ  ＣＯＲＥＳＥＴ設定のためのビットサイズ
【０３５５】
ＮＲ−ＰＢＣＨペイロードのＲＭＳＩ設定には、ＲＭＳＩ  ＣＯＲＥＳＥＴに対する帯域幅（ＰＲＢ単位で表す）、ＯＦＤＭシンボル、周波数位置およびモニタリングウィンドウが含まれる。このために、ＰＢＣＨペイロードには、２４ビットのＣＲＣを含めて合計５６ビットが使用される。このとき、ＣＲＣの２４ビットを除いた３２ビットのうち、８ビットは、ＲＭＳＩ  ＣＯＲＥＳＥＴの設定のために使用される。また、周波数オフセット指示のための４ビットが周波数位置を示す部分になる場合、合計１２ビットがＲＭＳＩ  ＣＯＲＥＳＥＴ設定のために割り当てられる。なお、６ＧＨｚ以下の周波数帯域に対しては、ＲＭＳＩ  ＣＯＲＥＳＥＴ設定のために、さらに３ビットが使用される。
【０３５６】
（２）要求帯域幅（Required Bandwidth）およびＯＦＤＭシンボル
【０３５７】
ＲＭＳＩ  ＣＯＲＥＳＥＴにどのくらい多い周波数／時間リソース、すなわち、どのくらい多いＰＲＢ数およびＯＦＤＭシンボル数が必要であるかを決定するためには、ＮＲでサポートされるアグリゲーションレベル（Aggregation level）を考慮する必要がある。例えば、ＮＲが４、６および８の３つのアグリゲーションレベルをサポートすると、２４、３２および４８（個の）ＲＢのように少なくとも３つのＰＲＢサイズが要求される。また、チャネルＢＷ内のＰＲＢ数は、副搬送波間隔によって定義される。例えば、チャネルＢＷが１０ＭＨｚであるときは、１５ｋＨｚの副搬送波間隔におけるＰＲＢ数は５２であり、３０ｋＨｚの副搬送波間隔におけるＰＲＢ数は２４である。この場合、要求されるアグリゲーションレベルを提供するために、１つまたは２つのＯＦＤＭシンボルが必要である。したがって、ＰＲＢ数およびＯＦＤＭシンボル数を示す２つの表（すなわち、表６および表７）を提案する。
【０３５８】
ここで、［表９］は、一つのＲＭＳＩ  ＣＯＲＥＳＥＴのためのＰＲＢの数を示し、［表１０］は、一つのＲＭＳＩ  ＣＯＲＥＳＥＴのためのＯＦＤＭシンボルの数を示す。
【０３５９】
［表９］
【表９】
2021503795.tif 000016
【０３６０】
［表１０］
【表１０】
2021503795.tif 000017
【０３６１】
［表９］において、ＰＲＢの数は、ＰＢＣＨペイロードにより指示された副搬送波間隔によって定義される。ＲＭＳＩ  ＣＯＲＥＳＥＴ帯域幅の数は、周波数範囲によって異なるので、帯域幅設定のための互いに異なるビットサイズを考えることができる。例えば、６ＧＨｚ以下の周波数帯域では２ビットを使用し、６ＧＨｚ以上の周波数帯域では１ビットを使用する。また、それに基づいてＲＭＳＩ  ＣＯＲＥＳＥＴの帯域幅のためのＵＥ最小ＢＷを決定することができる。例えば、６ＧＨｚ以下の周波数帯域におけるＵＥ最小ＢＷは、２０／４０ＭＨｚであり、６ＧＨｚ以上の周波数帯域におけるＵＥ最小ＢＷは、１００ＭＨｚまで考えることができる。ただし、表６における一部の設定は、６ＧＨｚ以上の周波数帯域から除外できる。例えば、１００ＭＨｚ帯域幅は、除外されることができる。
【０３６２】
［表１０］は、ＯＦＤＭシンボルの数を定義している。ＲＭＳＩ  ＣＯＲＥＳＥＴの場合、スロット内でＰＤＣＣＨについて最大３つのＯＦＤＭシンボルが使用される。特に、スロット内で最大２つのＲＭＳＩ  ＣＯＲＥＳＥＴを構成することができ、ＲＭＳＩ  ＣＯＲＥＳＥＴのために１つのＯＦＤＭシンボルが割り当てられると、スロット内でＰＤＣＣＨのために最大２つのＯＦＤＭシンボルを使用できる。さらに他の場合には、１つのＲＭＳＩ  ＣＯＲＥＳＥＴがスロット内で使用されることができる。
【０３６３】
（３）周波数位置指示（Frequency Position Indication）
【０３６４】
ＲＭＳＩ  ＣＯＲＥＳＥＴの周波数位置は、ＲＭＳＩ  ＣＯＲＥＳＥＴの周波数位置とＳＳ／ＰＢＣＨブロックの周波数位置との間の相対的なＲＥオフセットで示すことができる。かかるＲＥオフセットは、ＳＳ／ＰＢＣＨブロックの副搬送波間隔により定義される。図３９は、ＲＭＳＩ  ＣＯＲＥＳＥＴの周波数位置を表す実施例を示す。
【０３６５】
図３９を参照すると、ＲＳＭＩ  ＣＯＲＥＳＥＴの最も低い（lowest）ＰＲＢがＳＳ／ＰＢＣＨブロック送信のための２つの連続するＳＳ／ＰＢＣＨブロックの候補位置の間に存在するとき、ネットワークは、より高い周波数位置を有する１つの候補ＳＳ／ＰＢＣＨブロック位置を選択することができる。高い周波数位置を有する候補ＳＳ／ＰＢＣＨブロック位置でＳＳＢを定義するセル、すなわち、ＲＭＳＩを有するＳＳ／ＢＰＣＨブロックが送信され、ＲＭＳＩ  ＣＯＲＥＳＥＴは、ＳＳ／ＰＢＣＨブロックの最も低いＰＲＢインデックスに基づいて指示される。また、ＲＭＳＩ  ＣＯＲＥＳＥＴがＳＳ／ＰＢＣＨブロック送信のための２つの連続するＳＳ／ＰＢＣＨブロックの候補位置のうち、より高い周波数位置におけるＳＳ／ＰＢＣＨブロックに基づいて指示されると仮定すると、ＲＭＳＩ  ＣＯＲＥＳＥＴとＳＳ／ＰＢＣＨブロックとの間の周波数位置オフセットの最大範囲は、同期ラスタにより定義される。
【０３６６】
上述した例では、２つの連続するＳＳ／ＰＢＣＨブロックの候補位置を基準としたとき、より高い周波数位置におけるＳＳ／ＰＢＣＨブロックに基づいて指示されるということは、ＲＭＳＩ  ＣＯＲＥＳＥＴの中心から最も近いＳＳ／ＰＢＣＨブロックを意味する。より具体的には、図３９に示すように、オフセット値は、ＲＭＳＩ  ＣＯＲＥＳＥＴの最も低いＰＲＢとＳＳ／ＰＢＣＨブロックの最も低いＰＲＢとの間のオフセット値で定義されるので、図１９において上部のＰＲＢは低いインデックスを有するＰＲＢになる。すなわち、ＲＭＳＩ  ＣＯＲＥＳＥＴにおいて最も低いＰＲＢは、図３９において最上部に位置するＲＭＳＩ  ＣＯＲＥＳＥＴのＰＲＢであり、したがって、ＲＭＳＩ  ＣＯＲＥＳＥＴの最も低いＰＲＢの上下に位置するＳＳ／ＰＢＣＨブロックは、図１９に示すＳＳ／ＰＢＣＨブロックのうち、最上部のＳＳ／ＰＢＣＨブロックおよび中間のＳＳ／ＰＢＣＨブロックになる。
【０３６７】
すなわち、図３９において、上部の周波数値が低く、下部の周波数値が高い。したがって、オフセット値の基準となる候補ＳＳ／ＰＢＣＨブロックは、最上部のＳＳ／ＰＢＣＨブロックおよび中間のＳＳ／ＰＢＣＨブロックであり、これらのうち、高い周波数位置における中間のＳＳ／ＰＢＣＨブロックの最も低い（図３９では最上部）ＰＲＢとＲＭＳＩ  ＣＯＲＥＳＥＴの最も低いＰＲＢとの相対的なＲＢ値の差がオフセットで表現される。
【０３６８】
したがって、図３９によれば、最上部のＳＳ／ＰＢＣＨブロックおよび中間のＳＳ／ＰＢＣＨブロックのうち、中間のＳＳ／ＰＢＣＨブロックがＲＭＳＩ  ＣＯＲＥＳＥＴの中心に最も近いので、高い周波数位置におけるＳＳ／ＰＢＣＨブロックをオフセット値の基準ＳＳ／ＰＢＣＨブロックとして決定するということは、ＲＭＳＩ  ＣＯＲＥＳＥＴの中心から最も近いＳＳ／ＰＢＣＨブロックに決定されることを意味する。
【０３６９】
また、同期ラスタは、最小チャネル帯域幅、ＳＳ／ＰＢＣＨブロック帯域幅およびチャネルラスタにより定義される。例えば、最小チャネル帯域幅が広い場合は、同期ラスタが広くなる。したがって、より広い同期ラスタは、ＳＳエントリの数を減らすという長所がある。ただし、同期ラスタが広い場合、ＲＭＳＩ  ＣＯＲＥＳＥＴとＳＳ／ＰＢＣＨブロックとの間の周波数位置を指示するために必要なビットサイズが増加する。したがって、上述した事項を考慮して、同期ラスタの適切な範囲を決定する必要がある。
【０３７０】
以下の［表１１］乃至［表１６］は、最小チャネル帯域幅および副搬送波間隔によって周波数オフセットを表すのに必要なビットサイズの例を示す。
【０３７１】
［表１１］
−ＳＳ／ＰＢＣＨブロックのＳＣＳ：１５ｋＨｚ、チャネルラスタ：１０ｋＨｚ
2021503795.tif 000018
【０３７２】
［表１２］
−ＳＳ／ＰＢＣＨブロックのＳＣＳ：１５ｋＨｚ、チャネルラスタ：１５ｋＨｚ
2021503795.tif 000019
【０３７３】
［表１３］
−ＳＳ／ＰＢＣＨブロックのＳＣＳ：３０ｋＨｚ、チャネルラスタ：１００ｋＨｚ
2021503795.tif 000020
【０３７４】
［表１４］
−ＳＳ／ＰＢＣＨブロックのＳＣＳ：３０ｋＨｚ、チャネルラスタ：１５ｋＨｚ
2021503795.tif 000021
【０３７５】
［表１５］
−ＳＳ／ＰＢＣＨブロックのＳＣＳ：１２０ｋＨｚ、チャネルラスタ：６０ｋＨｚ
2021503795.tif 000022
【０３７６】
［表１６］
−ＳＳ／ＰＢＣＨブロックのＳＣＳ：２４０ｋＨｚ、チャネルラスタ：６０ｋＨｚ
2021503795.tif 000023
【０３７７】
これらのうち、［表１２］によれば、最小チャネル帯域幅が１０ＭＨｚであるとき、１５ｋＨｚの副搬送波間隔に対して５２個のＰＲＢを仮定する。したがって、同期ラスタは５７７５ｋＨｚであり、これは、１５ｋＨｚの副搬送波間隔で３８５（個の）ＲＥｓとして表される。この場合、ＲＥレベルの周波数オフセット指示のために、最大９ビットが必要である。
【０３７８】
また、［表１４］によれば、最小チャネル帯域幅が４０ＭＨｚであるとき、３０ｋＨｚの副搬送波間隔に対して１０６（個の）ＰＲＢを仮定し、同期ラスタは３０９７５ｋＨｚになり、これは、３０ｋＨｚの副搬送波間隔で１０３３（個の）ＲＥｓとして表される。この場合、ＲＥレベル周波数オフセット指示のために最大１１ビットが必要である。また、［表１５］に示すように、最小チャネル帯域幅が５０ＭＨｚである場合は、１２０ｋＨｚの副搬送波間隔に対して同期ラスタは１７３４０ｋＨｚになることができ、これは、１４５（個の）ＲＥｓとして表される。したがって、ＲＥレベル周波数オフセット指示のために最大８ビットが必要である。
【０３７９】
しかしながら、必要なビットサイズがＰＢＣＨ  ＭＩＢで許可されるには大きすぎる場合、ＮＲは、同期ラスタのサイズを減らすか、または周波数オフセット指示範囲を制限することができる。例えば、３０ｋＨｚの副搬送波間隔の場合、周波数オフセット指示のために最大１１ビットが必要であるので、同期ラスタのサイズを減らすことが考えられる。
【０３８０】
再度［表１４］を参照すると、３０ｋＨｚの副搬送波間隔に対して５１個のＰＲＢを仮定すると、同期ラスタは、１１１７５ｋＨｚになり、３０ｋＨｚの副搬送波間隔で３７３（個の）ＲＥｓとして表される。これにより、ＲＥレベルの周波数オフセットを表すのに最大９ビットが必要である。一方、上述した方法によれば、ＳＳエントリの数は、４から９に増加するが、これはそれほど重要ではない。また、１２０ｋＨｚの副搬送波間隔の場合、周波数オフセット指示の範囲を制限することができる。ＲＭＳＩ  ＣＯＲＥＳＥＴとＳＳ／ＰＢＣＨブロックとの間の周波数位置指示の最大周波数範囲が１２８（個の）ＲＥに制限される場合は、ＲＥレベル周波数オフセット指示に最大７ビットが必要である。
【０３８１】
（４）ＲＭＳＩ  ＰＤＣＣＨモニタリングウィンドウの設定
【０３８２】
ＳＳ／ＰＢＣＨブロックに関連するＲＭＳＩ  ＰＤＣＣＨモニタリングウィンドウは、周期的に繰り返される。図４０は、かかるＲＭＳＩ  ＰＤＣＣＨモニタリングウィンドウのオフセット、区間（Duration）および周期（period）に対する実施例を示す。
【０３８３】
ＲＭＳＩ  ＰＤＣＣＨモニタリング周期は、ＳＳ／ＰＢＣＨブロックを検出するためのデフォルト（基本）周期（default period）と等しいかまたは長く定義することができる。初期アクセス過程において、ＵＥは、２０ｍｓごとにＳＳ／ＰＢＣＨブロックを検出する。すなわち、ＳＳ／ＰＢＣＨのデフォルト検出周期は、２０ｍｓである。
【０３８４】
したがって、ＲＭＳＩ  ＣＯＲＥＳＥＴがＲＭＳＩ  ＣＯＲＥＳＥＴに対応するＳＳ／ＰＢＣＨブロックを送信すると仮定すると、ＵＥは、ＳＳ／ＰＢＣＨブロックの検出周期と同じ周期、すなわち、２０ｍｓで、ＲＭＳＩ  ＣＯＲＥＳＥＴをモニタリングすることができる。
【０３８５】
ＲＭＳＩ  ＴＴＩが１６０ｍｓに決定されると、ＵＥは、ＲＭＳＩ  ＴＴＩ内で同じＲＭＳＩを含むＰＤＳＣＨを複数回受信することができる。例えば、ＲＭＳＩ  ＴＴＩが１６０ｍｓに決定されると、ＳＳ／ＰＢＣＨブロックのデフォルト検出周期が２０ｍｓであるので、同じＲＭＳＩが８回繰り返して受信される。
【０３８６】
一方、ＲＭＳＩ送信に対する周期がより短くなると、ＲＭＳＩのカバレッジが拡大される。しかしながら、この場合、ネットワークがブロードキャストシステム情報伝達のためのＤＬ専用の送信持続区間（duration）を予約して、これによりＴＤＤシステムにおけるリソース活用の柔軟性が制限されることができる。例えば、ＴＳ３８．２１３  ｖ  １．３．０に従うとき、ＳＳ／ＰＢＣＨブロックの数が８であり、ＲＭＳＩ副搬送波間隔が１５ｋＨｚであり、Ｏが５であり、スロット当たりのサーチスペースセットの数が１であり、Ｍ＝２である場合は、１０ｍｓでＵＬ設定が不可能になることができる。さらに、６ＧＨｚ以上の周波数範囲でＵＬ設定のための時間リソースを減らすこともできる。
【０３８７】
かかる問題を解決するために、ＳＳ／ＰＢＣＨブロックの数を制限することができるが、これは、ＮＲシステム上で非常に多い制約があり得る。一方、ＴＳ３８．２１３の表１３−９乃至１３−１３における媒介変数を修正する方法を考えることができる。すなわち、Ｍ＝２の場合に多く問題が発生するので、Ｍの値は、１／２または１に設定することができる。また、Ｏ値のセットは、６ＧＨｚ周波数範囲未満では｛０、２、５、７｝であり、６ＧＨｚ以上の周波数範囲では｛０，２．５，５，７．５｝であるが、５ｍｓより大きいオフセット値が設定された場合は、ＵＬ設定に対する時間リソースが１０ｍｓであって、十分ではない。したがって、Ｏ値の設定は、６ＧＨｚ以下の周波数範囲では｛０、２、１０、１２｝に、６ＧＨｚ以上の周波数範囲では｛０,２.５,１０,１２.５｝に変更される。
【０３８８】
一方、ＵＥがより短い周期に基づいてＰＤＣＣＨをモニタリングすると、ＵＥのバッテリ消費（消耗）が増加する。したがって、４０ｍｓなどのより長い周期を考える必要がある。
【０３８９】
しかしながら、多数のビーム方向を有するマルチ（多重）ＲＳＭＩ送信（multiple RMSI transmission）のために複数の送信機会が提供されるためには、２０ｍｓのようなより短い周期が要求されることもできる。この場合、図４０に示したように、ｇＮＢが、偶数インデックスビームと奇数インデックスビームとに対するＲＭＳＩ  ＣＯＲＥＳＥＴを２０ｍｓごとに交互に送信すると、ＵＥは、特定のＳＳに対して４０ｍｓの周期を有して特定のＳＳ／ＰＢＣＨブロックインデックスに対応するＲＭＳＩ  ＣＯＲＥＳＥＴをモニタリングすることができる。
【０３９０】
ＲＭＳＩ  ＰＤＣＣＨモニタリングの持続区間は、実際に送信されたＳＳ／ＰＢＣＨブロックの数によって決定される。例えば、複数のＳＳ／ＰＢＣＨブロックを送信する場合、異なる方向を有する複数のＲＭＳＩ送信のためのより長いモニタリング持続区間が必要である。この場合、ＵＥは、ＲＭＳＩモニタリング区間がより長いと仮定できる。しかしながら、実際に送信されたＳＳ／ＰＢＣＨブロックの数が少ない場合にも、ＵＥがＲＭＳＩモニタリングの固定的かつより長い持続区間を仮定すると、ＵＥバッテリ消費の側面で効率的ではない。
【０３９１】
したがって、ｇＮＢが、ＲＭＳＩ  ＰＤＣＣＨモニタリング区間を設定する必要がある。例えば、ＲＳＭＩ  ＰＤＣＣＨモニタリング区間は、２（個の）スロットまたは４（個の）スロット区間に設定できる。このとき、ＲＭＳＩ  ＰＤＣＣＨモニタリングウィンドウは、ＳＳ／ＰＢＣＨブロックの間で重複することができる。この場合、ＵＥは、互いに異なるＳＳ／ＰＢＣＨブロックの間にＱＣＬ可能なＰＤＣＣＨを検出することができる。また、ＳＳ／ＰＢＣＨブロックインデックスとＲＭＳＩとの間の対応の曖昧さを避けるために、ＲＭＳＩに対するＰＤＣＣＨのスクランブルシーケンスまたはＤＭＲＳシーケンスがＳＳ／ＰＢＣＨブロックインデックスにより初期化されることができる。
【０３９２】
ＲＭＳＩ  ＰＤＣＣＨモニタリングのために設定可能なオフセットは、ネットワークのためのリソース活用の柔軟性を提供する。例えば、ネットワークに広いスペクトルがある場合、ｇＮＢは、ＳＳ／ＰＢＣＨブロックとＲＭＳＩとを同じ区間内で送信することができる。また、ネットワークがＳＳ／ＰＢＣＨブロックおよびＲＭＳＩを個々に送信できる柔軟性を有する場合は、ｇＮＢは、ＳＳ／ＰＢＣＨブロックが送信される時間間隔とは異なる時間間隔に基づいてＲＭＳＩを送信することができる。一方、準静的（Semi-static）ＤＬ／ＵＬ割り当て周期を考慮するとき、オフセット値は、０ｍｓおよび１０ｍｓが適当である。
【０３９３】
図４１は、無線装置１０とネットワークノード２０との間の通信の一例を示すブロック図である。ここで、ネットワークノード２０は、図４１の無線装置またはＵＥに代替されることができる。
【０３９４】
この明細書において、無線装置１０またはネットワークノード２０は、一つまたは複数の他の無線装置、ネットワークノードおよび／またはネットワークの他の要素と通信するための送受信器（Transceiver；１１，２１）を含む。送受信器１１，２１は、一つもしくは複数の送信器、一つもしくは複数の受信器ならびに／または一つもしくは複数の通信インターフェースを含む。
【０３９５】
送受信器１１，２１は、一つまたは複数のアンテナを備える。アンテナは、プロセッサチップ１２、２２の制御下で、本発明の一実施例によって送受信器１１，２１により処理された信号を外部に送信するか、または外部から無線信号を受信してプロセッサチップ１２、２２に伝達する機能を行う。アンテナは、アンテナポートとも呼ばれる。各アンテナは、一つの物理アンテナに該当するか、または一つもしくは複数の物理アンテナ要素の組み合わせによって構成される。各アンテナから送信された信号は、無線装置１０またはネットワークノード２０によりさらに分解されることはできない。該当アンテナに対応して送信された参照信号（Reference Signal、ＲＳ）は、無線装置１０またはネットワークノード２０の観点からのアンテナを定義し、チャネルが１（個の）物理アンテナからの単一（single）無線チャネルであるか、またはアンテナを含む複数の物理アンテナ要素からの合成（composite）チャネルであるかに関係なく、無線装置１０またはネットワークノード２０をしてアンテナに対するチャネル推定を可能にする。すなわち、アンテナは、アンテナ上のシンボルを伝達するチャネルが同じアンテナ上の他のシンボルが伝達されるチャネルから導き出されるように定義される。複数のアンテナを用いてデータを送受信する多入力多出力（Multi-Input Multi-Output、ＭＩＭＯ）機能をサポートする送受信器の場合、２つ以上のアンテナに接続されることができる。
【０３９６】
本発明において、送受信器１１，２１は、受信ビームフォーミングおよび送信ビームフォーミングをサポートする。例えば、本発明において、送受信器１１,２１は、図８乃至図１０に示された機能を行うように構成される。
【０３９７】
また、無線装置１０またはネットワークノード２０は、プロセッサチップ１２、２２を含む。プロセッサチップ１２、２２は、プロセッサ１３，２３のような少なくとも一つのプロセッサおよびメモリ１４，２４のような少なくとも一つのメモリ装置を含む。
【０３９８】
プロセッサチップ１２、２２は、この明細書に説明された方法および／またはプロセスのうちのいずれか一つまたは複数を制御する。すなわち、プロセッサチップ１２、２２は、この明細書に記載されたいずれか一つの実施例が行われるように構成される。
【０３９９】
プロセッサ１３，２３は、この明細書に説明された無線装置１０またはネットワークノード２０の機能を行うための少なくとも一つのプロセッサを含む。
【０４００】
例えば、一つまたは複数のプロセッサは、図４１における一つまたは複数の送受信器１１，２１を制御して情報を送受信する。
【０４０１】
プロセッサチップ１２、２２に含まれるプロセッサ１３，２３は、無線装置１０またはネットワークノード２０の外部に送信される信号および／またはデータについて、所定の符号化（coding）および変調（modulation）を行った後、送受信器１１，２１に送信する。例えば、プロセッサ１３，２３は、送信しようとするデータ列を、逆多重化、チャネル符号化、スクランブルおよび変調過程などによりＫ個のレイヤに変換する。符号化されたデータ列は、コードワードとも呼ばれ、ＭＡＣ層が適用（提供）するデータブロックであるトランスポートブロックと等価である。１（個の）トランスポートブロック（Transport Block、ＴＢ）は、１（個の）コードワードに符号化され、各コードワードは、一つまたは複数のレイヤの形態で受信装置に送信される。周波数アップ変換のために、送受信器１１，２１は、発振器（oscillator）を含む。送受信器１１，２１は、Ｎｔ個（Ｎｔは１以上の正の整数）の送信アンテナを含む。
【０４０２】
プロセッサチップ１２、２２は、データ、プログラム可能なソフトウェアコードおよび／またはこの明細書に説明された実施例を行うための他の情報を記憶可能なメモリ１４，２４を含む。
【０４０３】
すなわち、この明細書による実施例において、メモリ１４，２４は、プロセッサ１３，２３のような少なくとも一つのプロセッサにより実行されるとき、プロセッサ１３，２３をして図４１のプロセッサ１３，２３により制御されるプロセスのうちの一部もしくは全部を行うようにするか、または図１乃至図４０に基づいて本明細書に説明された実施例を行うための命令を含むソフトウェアコード１５，２５を記憶する。
【０４０４】
より具体的には、本発明の実施例による無線装置１０のプロセッサチップ１２は、サービングセルから隣接セルのタイミング情報を得るための参照信号設定に関連する情報を受信するように送受信器を制御し、サービングセルからＳＳ／ＰＢＣＨブロックを受信し、隣接セルからＳＳ／ＰＢＣＨブロックおよび参照信号を受信するように送受信器を制御する。
【０４０５】
プロセッサチップ１２は、参照信号のシーケンスに基づいて隣接セルのタイミング情報を得るが、このとき、参照信号のシーケンスから得られるタイミング情報は、隣接セルから受信したＳＳ／ＰＢＣＨブロックのインデックスに関連する情報、参照信号を受信した時点のスロット、シンボルおよびハーフフレームに関する情報を含む。
【０４０６】
一方、プロセッサチップ１２が受信した参照信号のシーケンスに基づいて隣接セルのタイミング情報を得る具体的な方法、参照信号および参照信号シーケンスのタイプは、本明細書の上述した実施例に従う。
【０４０７】
本発明の実施例によるネットワークノード２０のプロセッサチップ２２は、１つまたは複数のセルを制御するプロセッサチップ２２を意味する。すなわち、プロセッサチップ２２が制御するセルは、サービングセルまたは隣接セルになる。
【０４０８】
言い換えれば、１つのプロセッサチップ２２は、サービングセルまたは隣接セルを制御することができるが、１つのプロセッサチップ２２がサービングセルおよび隣接セルを全部制御することもできる。
【０４０９】
サービングセルに対応するプロセッサチップ２２は、ＵＥに隣接セルのタイミング情報を得るための参照信号に関連する設定を送信するように送受信器を制御する。その後、隣接セルに対応するプロセッサチップ２２は、参照信号および／またはＳＳ／ＰＢＣＨブロック送信タイミングに基づいて参照信号のシーケンスを生成する。このとき、参照信号シーケンスのシード（seed）値は、参照信号が送信されるスロット、シンボルおよびハーフフレームに関する情報または参照信号の周りで送信されるＳＳ／ＰＢＣＨブロックのインデックスに関する情報である。
【０４１０】
一方、プロセッサチップ２２が隣接セルのタイミング情報に基づいて参照信号のシーケンスを生成する具体的な方法、参照信号および参照信号シーケンスのタイプは、上述した実施例に従う。
【０４１１】
その後、生成された参照信号および隣接セルのＳＳ／ＰＢＣＨブロックを、隣接セルに対応するプロセッサチップ２２がＵＥに送信する（Ｓ３５０５）。
【０４１２】
以上説明してきた実施例は、本発明の構成要素および特徴を所定形態に結合したものである。各構成要素または特徴は、別の明示的な言及がない限り、選択的なものとして考慮される。各構成要素または特徴は、他の構成要素や特徴と結合しない形態で実施することもでき、一部の構成要素および／または特徴を結合して本発明の実施例を構成することもできる。本発明の実施例で説明される動作の順序は、変更されてもよい。ある実施例の一部の構成や特徴は、他の実施例に含まれてもよく、他の実施例の対応する構成または特徴に置き換えられてもよい。特許請求の範囲において明示的な引用関係にない請求項を結合して実施例を構成したり、出願後の補正により新しい請求項として含めたりできるということは明らかである。
【０４１３】
本文書で基地局によって行われるとした特定動作は、場合によってはその上位ノード（upper node）によって行われることもある。すなわち、基地局を含む複数のネットワークノード（network nodes）からなるネットワークにおいて端末との通信のために行われる様々な動作は、基地局または基地局以外の他のネットワークノードによって行われ得ることは明らかである。基地局は、固定局（fixed station）、ＮｏｄｅＢ、ｅＮｏｄｅＢ（ｅＮＢ）、アクセスポイント（access point）などの用語にしてもよい。
【０４１４】
本発明に係る実施例は、様々な手段、例えば、ハードウェア、ファームウェア（firmware）、ソフトウェアまたはそれらの結合などによって具現することができる。ハードウェアによる具現では、本発明の一実施例は、一つまたは複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現することができる。
【０４１５】
ファームウェアやソフトウェアによる具現では、本発明の一実施例は、以上で説明された機能または動作を実行するモジュール、手順、関数などの形態で具現されてもよい。ソフトウェアコードは、メモリユニットに記憶され、プロセッサによって駆動可能である。メモリユニットは、プロセッサの内部または外部に設けられ、公知の様々な手段によってプロセッサとデータを交換することができる。
【０４１６】
本発明は、本発明の特徴を逸脱しない範囲で他の特定の形態に具体化できることは、当業者にとって自明である。よって、上記の詳細な説明は、全ての面で制限的に解釈してはならず、例示的なものとして考慮しなければならない。本発明の範囲は、添付の請求項の合理的解釈によって決定されなければならず、本発明の等価的範囲内における全ての変更は、本発明の範囲に含まれる。
【産業上の利用可能性】
【０４１７】
上述した参照信号を送受信する方法およびそのための装置は、５世代ＮｅｗＲＡＴシステムに適用される例を中心として説明したが、５世代ＮｅｗＲＡＴシステム以外にも様々な無線通信システムに適用されることができる。
【図１（Ａ）】
2021503795.tif 000024
【図１（Ｂ）】
2021503795.tif 000025
【図２】
2021503795.tif 000026
【図３（ａ）】
2021503795.tif 000027
【図３（ｂ）】
2021503795.tif 000028
【図４】
2021503795.tif 000029
【図５】
2021503795.tif 000030
【図６】
2021503795.tif 000031
【図７】
2021503795.tif 000032
【図８】
2021503795.tif 000033
【図９】
2021503795.tif 000034
【図１０】
2021503795.tif 000035
【図１１（ａ）】
2021503795.tif 000036
【図１１（ｂ）】
2021503795.tif 000037
【図１２】
2021503795.tif 000038
【図１３】
2021503795.tif 000039
【図１４（ａ）】
2021503795.tif 000040
【図１４（ｂ）】
2021503795.tif 000041
【図１５】
2021503795.tif 000042
【図１６】
2021503795.tif 000043
【図１７】
2021503795.tif 000044
【図１８】
2021503795.tif 000045
【図１９】
2021503795.tif 000046
【図２０】
2021503795.tif 000047
【図２１】
2021503795.tif 000048
【図２２】
2021503795.tif 000049
【図２３】
2021503795.tif 000050
【図２４】
2021503795.tif 000051
【図２５】
2021503795.tif 000052
【図２６】
2021503795.tif 000053
【図２７】
2021503795.tif 000054
【図２８】
2021503795.tif 000055
【図２９】
2021503795.tif 000056
【図３０】
2021503795.tif 000057
【図３１（ａ）】
2021503795.tif 000058
【図３１（ｂ）】
2021503795.tif 000059
【図３１（ｃ）】
2021503795.tif 000060
【図３２】
2021503795.tif 000061
【図３３】
2021503795.tif 000062
【図３４】
2021503795.tif 000063
【図３５】
2021503795.tif 000064
【図３６】
2021503795.tif 000065
【図３７】
2021503795.tif 000066
【図３８（ａ）】
2021503795.tif 000067
【図３８（ｂ）】
2021503795.tif 000068
【図３９】
2021503795.tif 000069
【図４０】
2021503795.tif 000070
【図４１】
2021503795.tif 000071
【国際調査報告】
2021503795.tif 000072
2021503795.tif 000073
2021503795.tif 000074
2021503795.tif 000075